(57)【要約】【課題】工事、復旧、調査の作業効率の向上を図る。【解決手段】ＩＣタグ６Ｍが添付されたメカニカルクロージャ４と、データベースに基づいて通信設備情報を管理するセンターサーバ２と、作業対象設備の作業場Ｂに持ち込まれ、上記センターサーバ２と作業に関する情報を送受信する主携帯端末１０と、この主携帯端末１０と作業に関する情報を送受信し、ＩＣタグ６Ｃ、６Ｍを読み取る副携帯端末２０とを備えている。センターサーバ２は、副携帯端末２０が読み取ったＩＣタグ６Ｃ、６Ｍの識別情報を主携帯端末１０を介して受け取ると、識別情報に対応したメカニカルクロージャ４の設備情報を主携帯端末１０および副携帯端末２０に送信して表示させる。また、作業の実施が完了すると実施結果を副携帯端末２０から主携帯端末１０を介してセンターサーバ２に送信する。【選択図】図１
2008158648.tif 000002
【特許請求の範囲】
【請求項１】
回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、
サーバは、携帯端末からの要求に基づいて予め決められた作業情報を送信する作業情報送信手段と、携帯端末から送られてきた固有情報に基づいてデータベースから当該通信設備の通信設備情報を送信する通信設備情報送信手段と、携帯端末から送られてきた作業の実施結果をデータベースに書き込み登録する実施結果登録手段とを備え、
携帯端末は、サーバに作業情報を要求しサーバから上記作業情報を受信して表示する作業情報受信手段と、情報媒体の固有情報を読み取りこの固有情報をサーバに送信する固有情報読取送信手段と、サーバが固有情報に基づいて特定した作業対象設備の回線または配線設備に関する通信設備の通信設備情報を表示する設備情報表示手段と、作業の実施結果を入力して表示し記録するとともにこの実施結果をサーバに送信する実施結果送信記録手段とを備えたことを特徴とするケーブルネットワークの管理システム。
【請求項２】
携帯端末は、読み取った回線または配線設備に関する固有情報が、サーバから受信した作業情報の回線または配線設備に関する設備情報に合致しているかどうかを判定し、判定結果を表示する読取情報判定手段を備えていることを特徴とする請求項１に記載のケーブルネットワークの管理システム。
【請求項３】
携帯端末は、電源がオフされると、オン時に記憶された作業情報と設備情報と作業の実施結果の各データがメモリから消失されることを特徴とする請求項１または２に記載のケーブルネットワークの管理システム。
【請求項４】
サーバから送信される作業情報には、作業対象設備の位置情報が含まれるとともに、携帯端末は、全地球測位システムによる位置検出手段を備え、サーバは、携帯端末から送信された携帯端末の位置情報と作業情報に含まれる作業対象設備の位置情報とに基づいて、これら両位置情報を地図に書き込み、書き込まれた地図を携帯端末に送信する作業対象設備現場表示手段を備えていることを特徴とする請求項１ないし３のうちいずれか１に記載のケーブルネットワークの管理システム
【請求項５】
遠隔地に設置され、サーバと通信によりリアルタイムで作業情報を遣り取りし、予め計画された作業情報の入力と、作業対象設備に対する作業の指示の入力と、サーバに携帯端末を通じて送信される作業の進捗状況の表示と、作業の実施結果の表示とのうち少なくともいずれか１を行う作業管理用遠隔端末装置を備えていることを特徴とする請求項１に記載のケーブルネットワークの管理システム。
【請求項６】
情報媒体を、情報を記録するＩＣチップと無線通信用アンテナとを備えたＩＣタグまたは２次元コードとのうちいずれか一方により構成したことを特徴とする請求項１に記載のケーブルネットワークの管理システム。
【請求項７】
携帯端末は、携帯電話と、この携帯電話と着脱自在に電気的にまたは無線回線で接続された個人用携帯情報端末と、この個人用携帯情報端末と電気的に接続されて着脱自在に取り付けられ、情報媒体の固有情報を読み取りその固有情報を個人用携帯情報端末に出力する読取装置とを備えて構成したことを特徴とする請求項１ないし６のうちいずれか１に記載のケーブルネットワークの管理システム。
【請求項８】
携帯端末は、作業監理者により作業対象設備の作業場所の近くに持ち込まれ、上記サーバと通信により情報を送受信して遣り取りを行う主携帯端末と、作業員により上記作業対象設備の作業場所に持ち込まれ、上記主携帯端末と無線通信により情報を送受信して遣り取りを行うとともに、情報媒体の固有情報を読み取る副携帯端末とを備えて構成され、
主携帯端末は、サーバに作業情報を要求しサーバから作業情報を受信して表示するとともにこの作業情報を副携帯端末に転送する作業情報伝達手段と、副携帯端末から送られてきた情報媒体の固有情報を表示するとともに、この固有情報をサーバに転送する設備情報伝達手段と、副携帯端末から送られてきた作業の実施結果を表示して記録しこの実施結果をサーバに転送する実施結果伝達記録手段とを備え、
副携帯端末は、主携帯端末から受信した作業情報を表示する作業情報表示手段と、読み取った情報媒体の固有情報を表示するとともにその固有情報を主携帯端末に送信する設備情報送信手段と、作業の実施結果が入力されると、その実施結果を表示して記録し主携帯端末に送信する実施結果送信手段とを備えたことを特徴とする請求項１ないし６のうちいずれか１に記載のケーブルネットワークの管理システム。
【請求項９】
主携帯端末は、携帯電話により構成され、副携帯端末は、個人用携帯情報端末と、この個人用携帯情報端末と電気的にまたは無線回線で接続され情報媒体の固有情報を読み取りその固有情報を個人用携帯情報端末に出力する読取装置とを備えて構成されることを特徴とする請求項８に記載のケーブルネットワークの管理システム。
【請求項１０】
主携帯端末は、携帯電話と、この携帯電話と電気的にまたは無線回線で接続されたノート型パソコンとを備えて構成されることを特徴とする請求項９に記載のケーブルネットワークの管理システム。
【請求項１１】
回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、
サーバは、携帯端末からの要求に基づいて予め決められた作業情報を送信する作業情報送信手段と、携帯端末から送られてきた固有情報に基づいてデータベースから当該通信設備の通信設備情報を送信する通信設備情報送信手段と、携帯端末から送られてきた作業の実施結果をデータベースに書き込み登録する実施結果登録手段とを備え、
携帯端末は、サーバに作業情報を要求しサーバから上記作業情報を受信して表示する作業情報受信手段と、情報媒体の固有情報を読み取りこの固有情報をサーバに送信する固有情報読取送信手段と、サーバが固有情報に基づいて特定した作業対象設備の回線または配線設備に関する通信設備の通信設備情報を表示する設備情報表示手段と、作業の実施結果を入力して表示し記録するとともにこの実施結果をサーバに送信する実施結果送信記録手段とを備えて構成され、
作業対象設備に対して作業を行う際、作業者が携帯端末を作業対象設備の作業場所に持ち込む第１のステップと、
携帯端末からの要求に応じてサーバが携帯端末に作業情報を送信し、携帯端末に作業情報を表示させる第２のステップと、
携帯端末により作業対象設備に添付されている情報媒体の固有情報を読み取り、この固有情報を表示するとともにサーバに送信する第３のステップと、
サーバにより携帯端末から送られてきた固有情報に基づいてデータベースから当該通信設備の通信設備情報を携帯端末に送信して表示させる第４のステップと、
作業の実施終了後、作業の実施結果を携帯端末に入力して表示し記録するとともにこの実施結果をサーバに送信する第５のステップと、
携帯端末から作業の実施結果がサーバに送られてくると、データベースに書き込み登録する第６のステップとを有することを特徴とするケーブルネットワークの管理方法。
【請求項１２】
携帯端末は、読み取った回線または配線設備に関する固有情報が、サーバから受信した作業情報の回線または配線設備に関する設備情報に合致しているかどうかを判定し、判定結果を表示する読取情報判定手段を備え、
第３のステップで、携帯端末が作業対象設備に添付されている情報媒体の固有情報を読み取ると、読み取った固有情報が作業情報で指示された作業対象の回線または配線設備に合致するかどうかを判定し、判定結果を表示するとともに、合致する場合、読み取った固有情報をサーバに送信することを特徴とする請求項１１に記載のケーブルネットワークの管理方法。
【請求項１３】
回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業監理者により作業対象設備の作業場所の近くに持ち込まれ、上記サーバと通信により情報を送受信して遣り取りを行う主携帯端末と、作業員により上記作業対象設備の作業場所に持ち込まれ、上記主携帯端末と無線通信により情報を送受信して遣り取りを行うとともに、情報媒体の固有情報を読み取る副携帯端末とを備えて構成され、
サーバは、主携帯端末からの要求に基づいて予め決められた作業情報を送信する作業情報送信手段と、主携帯端末から送られてきた固有情報に基づいてデータベースから当該通信設備の通信設備情報を送信する通信設備情報送信手段と、主携帯端末から送られてきた作業の実施結果をデータベースに書き込み登録する実施結果登録手段とを備え、
主携帯端末は、サーバに作業情報を要求しサーバから作業情報を受信して表示するとともにこの作業情報を副携帯端末に転送する作業情報伝達手段と、副携帯端末から送られてきた情報媒体の固有情報を表示するとともに、この固有情報をサーバに転送する設備情報伝達手段と、副携帯端末から送られてきた作業の実施結果を表示して記録しこの実施結果をサーバに転送する実施結果伝達記録手段とを備え、
副携帯端末は、主携帯端末から受信した作業情報を表示する作業情報表示手段と、読み取った情報媒体の固有情報を表示するとともにその固有情報を主携帯端末に送信する設備情報送信手段と、作業の実施結果が入力されると、その実施結果を表示して記録し主携帯端末に送信する実施結果送信手段とを備えて構成され、
作業対象設備に対して作業を行う際、作業監理者が主携帯端末を作業対象設備の作業場所の近くに持ち込み、作業員が副携帯端末を上記作業対象設備の作業場所に持ち込む第１のステップと、
主携帯端末からの要求に応じてサーバが主携帯端末に作業情報を送信し、主携帯端末に作業情報を表示させる第２のステップと、
副携帯端末により作業対象設備に添付されている情報媒体の固有情報を読み取り、読み取られた固有情報を副携帯端末に表示するととともに主携帯端末に送信する第３のステップと、
副携帯端末から送られてきた固有情報を主携帯端末に表示するとともに、主携帯端末によりこの固有情報をサーバに転送する第４のステップと、
作業の実施終了後、作業の実施結果を副携帯端末に入力して表示し記録するとともに、この実施結果を主携帯端末に送信する第５のステップと、
副携帯端末から作業の実施結果が主携帯端末に送られてくると、この実施結果を主携帯端末に表示させて記録し、この実施結果をサーバに転送する第６のステップと、
主携帯端末から送られてきた実施結果をデータベースに書き込み登録する第７のステップとを有することを特徴とするケーブルネットワークの管理方法。
【請求項１４】
主携帯端末は、読み取った回線または配線設備に関する固有情報が、サーバから受信した作業情報の回線または配線設備に関する設備情報に合致しているかどうかを判定し、判定結果を表示する読取情報判定手段を備え、
第４のステップで、副携帯端末により読み取られた固有情報が副携帯端末から主携帯端末に送られてくると、読み取った固有情報を、作業情報で指示された作業対象の回線または配線設備に合致するかどうかを判定し、判定結果を表示し、合致する場合、主携帯端末に表示させて記録するとともに、主携帯端末によりこの固有情報をサーバに転送することを特徴とする請求項１３に記載のケーブルネットワークの管理方法。
【請求項１５】
回線と両側に回線のケーブル端がそれぞれ臨む配線設備とを備えて構成されるケーブルネットワークと、上記配線設備に添付され、その配線設備を特定する固有情報が含まれる情報媒体と、このケーブルネットワークの回線と配線設備に関する通信設備のデータが上記固有情報と関連づけられて更新可能に格納されるとともに上記通信設備のデータが回線の方向のうち所定の方向を示すデータと関連づけられて格納されるデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、
上記配線設備には、回線の方向のうち上記所定の方向を示す方向表示部を設け、
サーバには、携帯端末から送られてきた配線設備の固有情報に基づいて、当該配線設備を特定するとともに、当該配線設備の両側に収容されたケーブルを上記所定の方向と関連づけて特定しその特定情報を携帯端末に送信するケーブル特定情報送信手段を設け、
上記携帯端末に情報媒体の固有情報を読み取らせ、読み取ったこの固有情報をサーバに送信し、サーバにより特定された配線設備の情報と当該配線設備の両側に収容されたケーブルを上記所定の方向と関連づけて特定したケーブル特定情報とを携帯端末に送信して表示させることを特徴とするケーブルネットワークの管理システム。
【請求項１６】
サーバは、携帯端末からの要求に基づいて予め決められた作業情報を送信する作業情報送信手段と、携帯端末から送られてきた作業の実施結果をデータベースに書き込み登録する実施結果登録手段とを備え、
携帯端末は、サーバに作業情報を要求しサーバから上記作業情報を受信して表示する作業情報受信手段と、作業の実施結果を入力して表示し記録するとともに、この実施結果をサーバに送信する実施結果送信記録手段とを備えたことを特徴とする請求項１５に記載のケーブルネットワークの管理システム。
【請求項１７】
携帯端末は、作業監理者により作業対象設備の作業場所の近くに持ち込まれ、サーバと通信により情報を送受信して遣り取りを行う主携帯端末と、作業員により上記作業対象設備の作業場所に持ち込まれ、上記主携帯端末と無線通信により情報を送受信して遣り取りを行うとともに、情報媒体の固有情報を読み取る副携帯端末とを備えて構成され、
主携帯端末は、サーバに作業情報を要求しサーバから作業情報を受信して表示するとともにこの作業情報を副携帯端末に転送する作業情報伝達手段と、副携帯端末から送られてきた情報媒体の固有情報を表示してサーバに転送する設備情報伝達手段と、副携帯端末から送られてきた作業の実施結果を表示して記録しこの実施結果をサーバに転送する実施結果伝達記録手段とを備え、
副携帯端末は、主携帯端末から受信した作業情報を表示する作業情報表示手段と、読み取った情報媒体の固有情報を表示して主携帯端末に送信する設備情報送信手段と、作業の実施結果が入力されると、その実施結果を表示して記録し主携帯端末に送信する実施結果送信手段とを備えたことを特徴とする請求項１６に記載のネットワークの管理システム。
【請求項１８】
回線と両側に回線のケーブル端がそれぞれ臨む配線設備とを備えて構成されるケーブルネットワークと、上記配線設備に添付され、その配線設備を特定する固有情報が含まれる情報媒体と、このケーブルネットワークの回線と配線設備に関する通信設備のデータが上記固有情報と関連づけられて更新可能に格納されるとともに上記通信設備のデータが回線の方向のうち所定の方向を示すデータと関連づけられて格納されるデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、
上記配線設備には、回線の方向のうち上記所定の方向を示す方向表示部を設け、
サーバには、携帯端末から送られてきた配線設備の固有情報に基づいて、当該配線設備を特定するとともに、当該配線設備の両側に収容されたケーブルを上記所定の方向と関連づけて特定しその特定情報を携帯端末に送信するケーブル特定情報送信手段を設け、
作業対象設備に対して作業を行う際、作業者が携帯端末を作業対象設備の作業場所に持ち込む第１のステップと、
携帯端末により作業対象設備の配線設備に添付された情報媒体の固有情報を読み取らせ固有情報を表示するとともに、読み取られた固有情報をサーバに送信する第２のステップと、
第２のステップで、サーバに送信された配線設備の固有情報に基づいて、当該配線設備を特定するとともに、当該配線設備の両側に収容されたケーブルを上記所定の方向と関連づけて特定しその特定情報を携帯端末に送信して表示させる第３のステップとを有することを特徴とするケーブルネットワークの管理方法。
【発明の詳細な説明】
【技術分野】
【０００１】
本発明は、光ファイバネットワーク網の工事や保守管理に供されるケーブルネットワークの管理システムとその管理方法に関するものである。
【背景技術】
【０００２】
一般に、光ファイバネットワーク網を構成する光ファイバーケーブルには、１０００心のように多数の心線が収容される。配線箱には、このような多数の心線を有する光ファイバーケーブルが複数収容され、これら光ファイバーケーブルの心線を接続して短距離で効率的な回線構成を図るようにしている。心線の接続が複雑化しても光ファイバーネットワーク網を的確に管理することが求められる。予め設計された回線構成のプランに基づいて、現場で、工事を行う際には、まず、地図や住所表示を手がかりに工事対象となる配線箱が設置された作業現場に行き、電柱などの高所または地下に設置されている配線箱を特定する。回線構成の内容は、予め作成した紙の資料により現場に持ち込まれる。実際の作業は、地上の作業監理者が、持ち込まれた紙の資料に基づいて、高所または地下の配線箱に対して作業を行う作業員と無線通信機または携帯電話等を通じて作業内容や作業状況を会話で遣り取りしながら行われる。あるいは、作業員自らが資料を持って行われる。作業は、対象となる光ファイバーケーブルを特定し、他の回線に影響を与えないよう注意を払いながら実施される。光ファイバーの特定には、中間配線箱の空き心線を使用し、中間配線箱から光源を送出し、現場では、心線識別機を用いて対象となる空き心線に送られた光を受信することにより光ファイバーケーブルを特定するようになっている。作業終了後、実施結果を現場で紙にメモをとり、最寄りの事務所にそのメモを持ち帰り、事務所の端末から光ファイバネットワーク網管理システムのセンターサーバに登録するようにしている。
【０００３】
このようにして行う回線構成の作業では、現に使用している複雑な回線網構成のすべてを現場に紙の資料として持ち込むことはできない。つまり、現場には、対象となる回線構成の資料や撤去する心線の情報が記載された限られた資料しか持ち込むことができない。このため、光ファイバーケーブルに収容されている他の回線や配線箱に収容されている他の光ファイバーケーブルについての情報は、現場にはなく、作業中に他の情報が必要となった場合、その都度、最寄りの事務所に問い合わせて作業を行わなければならない。また、対象となる光ファイバーケーブルの回線の特定は、配線箱から光源を送出し現地で対象と思われる心線を心線識別機で特定することから人手と手間がかかっていた。
【０００４】
このため、従来、光ファイバ回線を管理する方法として、光ファイバ心線上に記号を付与し、この記号をテレビカメラで読み取り、文字データに変換し、この文字データを携帯端末装置に表示する光ファイバ心線の管理方法が提案されている（特許文献１参照）。この特許文献１に記載の管理方法では、携帯端末装置は、無線通信を介してデータベースに接続された管理用計算機とデータの送受信を行うようになっている。
【特許文献１】特開平９−１０５７０２号公報（第２頁、図２）
【発明の開示】
【発明が解決しようとする課題】
【０００５】
作業対象の配線箱は、通常、電信柱のような高所や地下の狭隘な場所に設置されているため、多数の作業員が同時に配線箱の前で作業することが困難な場合が多い。このため、作業者と作業を監督する作業監理者が、常に配線箱の前で作業することができるとは限らず、通常、作業対象となる高所や地下の配線箱の前には、一人または二人の作業員が配され、その作業対象の配線箱から離れた場所、例えば、地上で、作業監理者が作業を指示したり見守ったりすることが多い。このため、上記従来の光ファイバ心線の管理方法では、作業員が携帯端末装置を携行して作業対象となる高所や地下の配線箱の前に行き、作業の度に携帯端末装置を操作しなければならず、作業効率が悪いという問題がある。
また、光ファイバ心線のドットマトリクス情報をテレビカメラで読み取るようにしているため、読み取りに必要な機器が大型化せざるを得ず、作業性が悪いという問題がある。  さらに、携帯端末装置を通じてデータベースと遣り取りすることにより、紙による資料を現場に持ち込む必要がなくなった反面、携帯端末装置を紛失したり、盗難に遭ったりした場合、携帯端末装置に記憶された情報が外部に流出する虞がある。
また、ある作業を行っている作業班が、センターからの指示により障害調査などで急に他の作業現場に派遣される場合など、一旦、最寄りの事務所に立ち寄り、住所や地図で位置を確認するとともに、作業指示書や作業内容のメモを持参して出かけて行かなければならない。その上、作業現場の状況に不慣れだと、地図と住所を頼りに作業現場を到達するのに時間がかかり、復旧作業に手間取るという問題がある。
【０００６】
本発明は、上記課題を解決するためになされたもので、作業の効率化と現場到着の迅速化を図り、配線箱とその中に収容されたケーブルとの設備情報を読み取る装置の小型軽量化を図るとともに、作業情報の機密を保持することができ、しかも、設備に添付される情報媒体の数量減少化を図ることができるケーブルネットワークの管理システムとその管理方法を提供することを目的とするものである。
【課題を解決するための手段】
【０００７】
本発明の請求項１に係るケーブルネットワークの管理システムは、回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、サーバは、携帯端末からの要求に基づいて予め決められた作業情報を送信する作業情報送信手段と、携帯端末から送られてきた固有情報に基づいてデータベースから当該通信設備の通信設備情報を送信する通信設備情報送信手段と、携帯端末から送られてきた作業の実施結果をデータベースに書き込み登録する実施結果登録手段とを備え、携帯端末は、サーバに作業情報を要求しサーバから上記作業情報を受信して表示する作業情報受信手段と、情報媒体の固有情報を読み取りこの固有情報をサーバに送信する固有情報読取送信手段と、サーバが固有情報に基づいて特定した作業対象設備の回線または配線設備に関する通信設備の通信設備情報を表示する設備情報表示手段と、作業の実施結果を入力して表示し記録するとともにこの実施結果をサーバに送信する実施結果送信記録手段とを備えたものである。
【０００８】
本発明の請求項１に係るケーブルネットワークの管理システムでは、回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、サーバは、携帯端末からの要求に基づいて予め決められた作業情報を送信する作業情報送信手段と、携帯端末から送られてきた固有情報に基づいてデータベースから当該通信設備の通信設備情報を送信する通信設備情報送信手段と、携帯端末から送られてきた作業の実施結果をデータベースに書き込み登録する実施結果登録手段とを備え、携帯端末は、サーバに作業情報を要求しサーバから上記作業情報を受信して表示する作業情報受信手段と、情報媒体の固有情報を読み取りこの固有情報をサーバに送信する固有情報読取送信手段と、サーバが固有情報に基づいて特定した作業対象設備の回線または配線設備に関する通信設備の通信設備情報を表示する設備情報表示手段と、作業の実施結果を入力して表示し記録するとともにこの実施結果をサーバに送信する実施結果送信記録手段とを備えたことにより、作業対象の設備に対して作業を行う際、作業者により携帯端末が作業対象設備の作業場所に持ち込まれ、携帯端末によりサーバに対して作業情報が要求されると、サーバは予定された作業情報を携帯端末に送信する。作業情報がサーバから携帯端末に送信されると、携帯端末にはその作業情報が表示される。この作業情報に基づいて作業員が携帯端末により作業対象設備に添付されている情報媒体の固有情報を読み取ると、携帯端末は、読み取った固有情報を表示するとともにサーバに送信する。このとき、サーバ側では作業の開始とみなして作業状況監視状態となる。サーバは、携帯端末から送られてきた固有情報に基づいてデータベースから当該通信設備の通信設備情報を携帯端末に送信する。携帯端末は、サーバから送られてきた固有情報に基づいた通信設備情報を表示するので、作業者は、この通信設備情報が作業情報に基づいた作業対象設備であるかどうかを携帯端末を通じて判断することができる。作業者は読み取った固有情報に基づいた通信設備情報が作業情報に基づいた作業対象設備情報と合致すれば、作業を開始することができ、合致しなければ、読み取った情報媒体の添付された通信設備が作業対象でないことが判明する。このため、作業対象となる通信設備を間違えることがない。作業の実施完了後、作業員が携帯端末に作業の実施結果を入力すると、携帯端末は実施結果を表示して記録し、サーバに送信する。サーバは、作業の実施結果が送られてくると、その実施結果をデータベースに書き込み登録する。このため、作業現場での作業時、サーバから直接現場で作業情報を受け取ることができるので、紙に書かれた作業指示書や作業内容のメモを取りに最寄りの事務所に戻る必要がなく、作業が効率化される。また、作業完了後、携帯端末を通じて直ちに作業の実施結果がデータベースに登録され、作業終了もこれとともに登録されるので、リアルタイムでデータの更新が行われ、データベースへの書き込み登録が迅速化され、常に最新のネットワーク管理が実現できる。さらに、故障復旧作業時、予め準備できる資料がなくても、現場で直接センターのサーバに必要な情報を要求して得ることができ、復旧作業が迅速化される。さらに、作業中の作業班または外部にいる作業班はセンターからの指令に基づき、現在いる場所から直接次の現場に向かう間に次の現場で行う作業の指示情報を受け取ることができる。このため、現場への到着が迅速化され、作業も効率化される。
【０００９】
本発明の請求項２に係るケーブルネットワークの管理システムは、携帯端末は、読み取った回線または配線設備に関する固有情報が、サーバから受信した作業情報の回線または配線設備に関する設備情報に合致しているかどうかを判定し、判定結果を表示する読取情報判定手段を備えるようにしたものである。
【００１０】
本発明の請求項２に係るケーブルネットワークの管理システムでは、携帯端末は、読み取った回線または配線設備に関する固有情報が、サーバから受信した作業情報の回線または配線設備に関する設備情報に合致しているかどうかを判定し、判定結果を表示する読取情報判定手段を備えるようにしたことにより、たとえ作業現場に多数の通信設備があっても、受け取った作業情報に基づいて、読み取った情報媒体の情報から読み取った設備が作業対象となるべき回線または配線設備か否かが判別されるので、作業が迅速化され、作業ミスの発生がない。
【００１１】
本発明の請求項３に係るケーブルネットワークの管理システムは、携帯端末は、電源がオフされると、オン時に記憶された作業情報と設備情報と作業の実施結果の各データがメモリから消失されるようにしたものである。
【００１２】
本発明の請求項３に係るケーブルネットワークの管理システムでは、携帯端末は、電源がオフされると、オン時に記憶された作業情報と設備情報と作業の実施結果の各データがメモリから消失されるようにしたことにより、たとえ、携帯端末が他者の手に渡っても作業情報が漏洩することがない。
【００１３】
本発明の請求項４に係るケーブルネットワークの管理システムは、サーバから送信される作業情報には、作業対象設備の位置情報が含まれるとともに、携帯端末は、全地球測位システムによる位置検出手段を備え、サーバは、携帯端末から送信された携帯端末の位置情報と作業情報に含まれる作業対象設備の位置情報とに基づいて、これら両位置情報を地図に書き込み、書き込まれた地図を携帯端末に送信する作業対象設備現場表示手段を備えるようにしたものである。
【００１４】
本発明の請求項４に係るケーブルネットワークの管理システムでは、サーバから送信される作業情報には、作業対象設備の位置情報が含まれるとともに、携帯端末は、全地球測位システムによる位置検出手段を備え、サーバは、携帯端末から送信された携帯端末の位置情報と作業情報に含まれる作業対象設備の位置情報とに基づいて、これら両位置情報を地図に書き込み、書き込まれた地図を携帯端末に送信する作業対象設備現場表示手段を備えるようにしたことにより、複雑な町並みや視覚的にわかりにくい現場であっても作業対象の現場を正確に把握できるので、現場到着時間が短縮される。また、事故に対する復旧作業のため、新たな現場へ移動の指示があった場合、作業場所の住所や地図を受け取りに最寄りの事務所に戻る必要がなく、現在の作業現場から次の作業現場へ直接移動することができ、復旧作業が迅速化される。
【００１５】
本発明の請求項５に係るケーブルネットワークの管理システムは、遠隔地に設置され、サーバと通信によりリアルタイムで作業情報を遣り取りし、予め計画された作業情報の入力と、作業対象設備に対する作業の指示の入力と、サーバに携帯端末を通じて送信される作業の進捗状況の表示と、作業の実施結果の表示とのうち少なくともいずれか１を行う作業管理用遠隔端末装置を備えるようにしたものである。
【００１６】
本発明の請求項５に係るケーブルネットワークの管理システムでは、遠隔地に設置され、サーバと通信によりリアルタイムで作業情報を遣り取りし、予め計画された作業情報の入力と、作業対象設備に対する作業の指示の入力と、サーバに携帯端末を通じて送信される作業の進捗状況の表示と、作業の実施結果の表示とのうち少なくともいずれか１を行う作業管理用遠隔端末装置を備えるようにしたことにより、どこの事務所であっても、作業管理用遠隔端末装置を通じて、作業の指示、作業内容の把握や作業状況の把握、作業の実施結果の確認をリアルタイムで行うことができる。
【００１７】
本発明の請求項６に係るケーブルネットワークの管理システムは、情報媒体を、情報を記録するＩＣチップと無線通信用アンテナとを備えたＩＣタグまたは２次元コードとのうちいずれか一方により構成したものである。
【００１８】
本発明の請求項６に係るケーブルネットワークの管理システムでは、情報媒体を、情報を記録するＩＣチップと無線通信用アンテナとを備えたＩＣタグまたは２次元コードとのうちいずれか一方により構成したことにより、読み取りを非接触で行うため、配線設備を開くことなく作業対象を特定することができる。このため、作業対象特定作業における他の回線への影響の虞もなく、短時間で特定することができ、作業性が向上する。また、情報媒体に、設備を特定できる設備識別情報のみを盛り込むことで、設備識別情報とデータベースとから設備情報を知ることができる。配線設備名称や心線の回線名称が変更になった場合も、データベースの変更ですませることができる。さらに、他人が情報媒体から設備や回線情報を読み取ることも防止することができ、設備情報の機密が確保できる。
【００１９】
本発明の請求項７に係るケーブルネットワークの管理システムは、携帯端末は、携帯電話と、この携帯電話と着脱自在に電気的にまたは無線回線で接続された個人用携帯情報端末と、この個人用携帯情報端末と電気的に接続されて着脱自在に取り付けられ、情報媒体の固有情報を読み取りその固有情報を個人用携帯情報端末に出力する読取装置とを備えて構成したものである。
【００２０】
本発明の請求項７に係るケーブルネットワークの管理システムでは、携帯端末は、携帯電話と、この携帯電話と着脱自在に電気的にまたは無線回線で接続された個人用携帯情報端末と、この個人用携帯情報端末と電気的に接続されて着脱自在に取り付けられ、情報媒体の固有情報を読み取りその固有情報を個人用携帯情報端末に出力する読取装置とを備えて構成したことにより、携帯端末を一人の作業者が操作することができるので、作業の機動性が増す。
【００２１】
本発明の請求項８に係るケーブルネットワークの管理システムは、携帯端末は、作業監理者により作業対象設備の作業場所の近くに持ち込まれ、上記サーバと通信により情報を送受信して遣り取りを行う主携帯端末と、作業員により上記作業対象設備の作業場所に持ち込まれ、上記主携帯端末と無線通信により情報を送受信して遣り取りを行うとともに、情報媒体の固有情報を読み取る副携帯端末とを備えて構成され、主携帯端末は、サーバに作業情報を要求しサーバから作業情報を受信して表示するとともにこの作業情報を副携帯端末に転送する作業情報伝達手段と、副携帯端末から送られてきた情報媒体の固有情報を表示するとともに、この固有情報をサーバに転送する設備情報伝達手段と、副携帯端末から送られてきた作業の実施結果を表示して記録しこの実施結果をサーバに転送する実施結果伝達記録手段とを備え、副携帯端末は、主携帯端末から受信した作業情報を表示する作業情報表示手段と、読み取った情報媒体の固有情報を表示するとともにその固有情報を主携帯端末に送信する設備情報送信手段と、作業の実施結果が入力されると、その実施結果を表示して記録し主携帯端末に送信する実施結果送信手段とを備えるようにしたものである。
【００２２】
本発明の請求項８に係るケーブルネットワークの管理システムでは、携帯端末は、作業監理者により作業対象設備の作業場所の近くに持ち込まれ、上記サーバと通信により情報を送受信して遣り取りを行う主携帯端末と、作業員により上記作業対象設備の作業場所に持ち込まれ、上記主携帯端末と無線通信により情報を送受信して遣り取りを行うとともに、情報媒体の固有情報を読み取る副携帯端末とを備えて構成され、主携帯端末は、サーバに作業情報を要求しサーバから作業情報を受信して表示するとともにこの作業情報を副携帯端末に転送する作業情報伝達手段と、副携帯端末から送られてきた情報媒体の固有情報を表示するとともに、この固有情報をサーバに転送する設備情報伝達手段と、副携帯端末から送られてきた作業の実施結果を表示して記録しこの実施結果をサーバに転送する実施結果伝達記録手段とを備え、副携帯端末は、主携帯端末から受信した作業情報を表示する作業情報表示手段と、読み取った情報媒体の固有情報を表示するとともにその固有情報を主携帯端末に送信する設備情報送信手段と、作業の実施結果が入力されると、その実施結果を表示して記録し主携帯端末に送信する実施結果送信手段とを備えるようにしたことにより、作業対象の設備に対して作業を行う際、作業監理者により主携帯端末が作業対象設備の作業場所の近くに持ち込まれ、作業員により副携帯端末が作業対象設備の作業場所に持ち込まれる。主携帯端末によりサーバに対して作業情報が要求されると、サーバは予定された作業情報を主携帯端末に送信する。作業情報がサーバから主携帯端末に送信されると、主携帯端末は副携帯端末にその作業情報を転送し、副携帯端末には、その作業情報が表示される。この作業情報に基づいて作業員が副携帯端末により作業対象設備に添付されている情報媒体を読み取ると、副携帯端末は、読み取った回線または配線設備に関する設備の固有情報を表示するとともに主携帯端末に送信する。主携帯端末は受け取った固有情報を表示するとともに、サーバに送信する。このとき、サーバ側では作業の開始とみなして作業状況監視状態となる。サーバは、主携帯端末から送られてきた固有情報に基づいてデータベースから当該通信設備の通信設備情報を主携帯端末に送信する。主携帯端末は、サーバから送られてきた固有情報に基づいた通信設備情報を副携帯端末に送信する。副携帯端末には、データベースからの固有情報に基づいた通信設備情報が表示されるので、作業者は、このデータベースからの通信設備情報が作業情報に基づいた作業対象設備であるかどうかを副携帯端末を通じて判断することができる。作業者は読み取った固有情報に基づいた通信設備情報が作業情報に基づいた作業対象設備情報と合致すれば、作業を開始することができ、合致しなければ、読み取った情報媒体の添付された通信設備が作業対象でないことが判明する。このため、作業対象となる通信設備を間違えることがない。作業の実施完了後、作業員が副携帯端末に作業の実施結果を入力すると、副携帯端末は実施結果を表示して記録し、主携帯端末に送信する。主携帯端末は受け取った実施結果を表示して記録し、サーバに送信する。サーバは、作業の実施結果が送られてくると、その実施結果をデータベースに書き込み登録する。このため、作業現場での作業時、作業監理者も作業員もサーバから直接現場で作業情報を受け取ることができるので、紙に書かれた作業指示書や作業内容のメモを取りに最寄りの事務所に戻る必要がなく、作業が効率化される。また、作業完了後、副携帯端末を通じて直ちに作業の実施結果が主携帯端末を通じてデータベースに登録されるので、データベースでは、リアルタイムでデータを更新することができ、データベースへの書き込み登録が迅速化され、常に最新のネットワーク管理が実現できる。また、作業が終了した後に、作業終了操作を行うことにより、リアルタイムでデータベース作業終了が登録され、事務所で作業終了を的確に把握できる。作業時、副携帯端末を作業対象設備の作業場所に持ち込み、主携帯端末を作業対象設備の近くの場所に配して、作業を行うことができる。作業員と作業監理者を分けることにより作業員は現場作業に作業監理者は監理作業にそれぞれ集中できるので、作業が効率化される。
【００２３】
本発明の請求項９に係るケーブルネットワークの管理システムは、主携帯端末は、携帯電話により構成され、副携帯端末は、個人用携帯情報端末と、この個人用携帯情報端末と電気的にまたは無線回線で接続され情報媒体の固有情報を読み取りその固有情報を個人用携帯情報端末に出力する読取装置とを備えて構成されるようにしたものである。
【００２４】
本発明の請求項９に係るケーブルネットワークの管理システムでは、主携帯端末は、携帯電話により構成され、副携帯端末は、個人用携帯情報端末と、この個人用携帯情報端末と電気的にまたは無線回線で接続され情報媒体の固有情報を読み取りその固有情報を個人用携帯情報端末に出力する読取装置とを備えて構成されるようにしたことにより、主携帯端末側の作業監理者は、携帯電話を通じて作業を管理監督でき、作業場所の近くを自在に移動することができ、作業性が向上する。
【００２５】
本発明の請求項１０に係るケーブルネットワークの管理システムは、主携帯端末は、携帯電話と、この携帯電話と電気的にまたは無線回線で接続されたノート型パソコンとを備えて構成されるようにしたものである。
【００２６】
本発明の請求項１０に係るケーブルネットワークの管理システムでは、主携帯端末は、携帯電話と、この携帯電話と電気的にまたは無線回線で接続されたノート型パソコンとを備えて構成されるようにしたことにより、主携帯端末側の作業監理者は、ノート型パソコンの画面を通じて作業を監理でき、作業の情報が見やすくなり、操作性が向上する。
【００２７】
本発明の請求項１１に係るケーブルネットワークの管理方法は、回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、サーバは、携帯端末からの要求に基づいて予め決められた作業情報を送信する作業情報送信手段と、携帯端末から送られてきた固有情報に基づいてデータベースから当該通信設備の通信設備情報を送信する通信設備情報送信手段と、携帯端末から送られてきた作業の実施結果をデータベースに書き込み登録する実施結果登録手段とを備え、携帯端末は、サーバに作業情報を要求しサーバから上記作業情報を受信して表示する作業情報受信手段と、情報媒体の固有情報を読み取りこの固有情報をサーバに送信する固有情報読取送信手段と、サーバが固有情報に基づいて特定した作業対象設備の回線または配線設備に関する通信設備の通信設備情報を表示する設備情報表示手段と、作業の実施結果を入力して表示し記録するとともにこの実施結果をサーバに送信する実施結果送信記録手段とを備えて構成され、作業対象設備に対して作業を行う際、作業者が携帯端末を作業対象設備の作業場所に持ち込む第１のステップと、携帯端末からの要求に応じてサーバが携帯端末に作業情報を送信し、携帯端末に作業情報を表示させる第２のステップと、携帯端末により作業対象設備に添付されている情報媒体の固有情報を読み取り、この固有情報を表示するとともにサーバに送信する第３のステップと、サーバにより携帯端末から送られてきた固有情報に基づいてデータベースから当該通信設備の通信設備情報を携帯端末に送信して表示させる第４のステップと、作業の実施終了後、作業の実施結果を携帯端末に入力して表示し記録するとともにこの実施結果をサーバに送信する第５のステップと、携帯端末から作業の実施結果がサーバに送られてくると、データベースに書き込み登録する第６のステップとを有するようにしたものである。
【００２８】
本発明の請求項１１に係るケーブルネットワークの管理方法では、回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、サーバは、携帯端末からの要求に基づいて予め決められた作業情報を送信する作業情報送信手段と、携帯端末から送られてきた固有情報に基づいてデータベースから当該通信設備の通信設備情報を送信する通信設備情報送信手段と、携帯端末から送られてきた作業の実施結果をデータベースに書き込み登録する実施結果登録手段とを備え、携帯端末は、サーバに作業情報を要求しサーバから上記作業情報を受信して表示する作業情報受信手段と、情報媒体の固有情報を読み取りこの固有情報をサーバに送信する固有情報読取送信手段と、サーバが固有情報に基づいて特定した作業対象設備の回線または配線設備に関する通信設備の通信設備情報を表示する設備情報表示手段と、作業の実施結果を入力して表示し記録するとともにこの実施結果をサーバに送信する実施結果送信記録手段とを備えて構成され、作業対象設備に対して作業を行う際、作業者が携帯端末を作業対象設備の作業場所に持ち込む第１のステップと、携帯端末からの要求に応じてサーバが携帯端末に作業情報を送信し、携帯端末に作業情報を表示させる第２のステップと、携帯端末により作業対象設備に添付されている情報媒体の固有情報を読み取り、この固有情報を表示するとともにサーバに送信する第３のステップと、サーバにより携帯端末から送られてきた固有情報に基づいてデータベースから当該通信設備の通信設備情報を携帯端末に送信して表示させる第４のステップと、作業の実施終了後、作業の実施結果を携帯端末に入力して表示し記録するとともにこの実施結果をサーバに送信する第５のステップと、携帯端末から作業の実施結果がサーバに送られてくると、データベースに書き込み登録する第６のステップとを有するようにしたことにより、作業時、第１のステップで、携帯端末が作業者により作業対象設備の作業場所に持ち込まれ、第２のステップで、携帯端末からサーバに作業情報を要求すると、サーバは作業情報を携帯端末に送信し、携帯端末にはその作業情報が表示される。第３のステップで、携帯端末が作業対象設備に添付されている情報媒体の固有情報を読み取ると、携帯端末は、読み取った回線または配線設備に関する固有情報を表示するとともにその設備情報をサーバに送信する。第４のステップで、サーバは携帯端末から送られてきた固有情報に基づいてデータベースから当該通信設備の通信設備情報を携帯端末に送信すると、携帯端末には、データベースからの通信設備情報が表示される。作業者は、この通信設備情報が作業情報に基づいた作業対象設備であるかどうかを携帯端末を通じて判断することができる。作業者は読み取った固有情報に基づいた通信設備情報が作業情報に基づいた作業対象設備情報と合致すれば、作業を開始することができ、合致しなければ、読み取った情報媒体の添付された通信設備が作業対象でないことが判明する。このため、作業対象となる通信設備を間違えることがない。作業の実施が終了すると、第５のステップで、作業の実施結果を携帯端末に入力して表示して記録し、この実施結果をサーバに送信する。第６のステップで、サーバは携帯端末から作業の実施結果が送られてくると、データベースに書き込み登録する。このため、作業現場での作業時、サーバから直接現場で作業情報を受け取ることができるので、紙に書かれた作業指示書や作業内容のメモを取りに最寄りの事務所に戻る必要がなく、作業が効率化される。また、作業完了後、携帯端末を通じて直ちに作業の実施結果がデータベースに登録され、作業終了もこれとともに登録されるので、データベースでは、リアルタイムでデータを更新することができ、データベースへの書き込み登録が迅速化され、常に最新のネットワーク管理が実現できる。さらに、故障復旧作業時、予め準備できる資料が少なくても、現場で直接センターのサーバに必要な情報を要求して得ることができ、復旧作業が迅速化される。さらに、作業中の作業班または外部にいる作業班はセンターからの指令に基づき、現在いる場所から直接次の現場に向かう間に次の現場で行う作業の指示情報を受け取ることができる。このため、現場への到着が迅速化され、作業も効率化される。
【００２９】
本発明の請求項１２に係るケーブルネットワークの管理方法は、携帯端末は、読み取った回線または配線設備に関する固有情報が、サーバから受信した作業情報の回線または配線設備に関する設備情報に合致しているかどうかを判定し、判定結果を表示する読取情報判定手段を備え、第３のステップで、携帯端末が作業対象設備に添付されている情報媒体の固有情報を読み取ると、読み取った固有情報が作業情報で指示された作業対象の回線または配線設備に合致するかどうかを判定し、判定結果を表示するとともに、合致する場合、読み取った固有情報をサーバに送信するようにしたものである。
【００３０】
本発明の請求項１２に係るケーブルネットワークの管理方法では、携帯端末は、読み取った回線または配線設備に関する固有情報が、サーバから受信した作業情報の回線または配線設備に関する設備情報に合致しているかどうかを判定し、判定結果を表示する読取情報判定手段を備え、第３のステップで、携帯端末が作業対象設備に添付されている情報媒体の固有情報を読み取ると、読み取った固有情報が作業情報で指示された作業対象の回線または配線設備に合致するかどうかを判定し、判定結果を表示するとともに、合致する場合、読み取った固有情報をサーバに送信するようにしたことにより、第３のステップで、携帯端末が読み取った固有情報に対応した設備情報が作業対象の設備かどうか判定されるので、たとえ作業現場に多数の通信設備があっても、受け取った作業情報に基づいて、読み取った情報媒体の固有情報から読み取った設備が作業対象となるべき通信設備か否かが判別されるので、作業が迅速化され、作業ミスの発生がない。
【００３１】
本発明の請求項１３に係るケーブルネットワークの管理方法は、回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業監理者により作業対象設備の作業場所の近くに持ち込まれ、上記サーバと通信により情報を送受信して遣り取りを行う主携帯端末と、作業員により上記作業対象設備の作業場所に持ち込まれ、上記主携帯端末と無線通信により情報を送受信して遣り取りを行うとともに、情報媒体の固有情報を読み取る副携帯端末とを備えて構成され、サーバは、主携帯端末からの要求に基づいて予め決められた作業情報を送信する作業情報送信手段と、主携帯端末から送られてきた固有情報に基づいてデータベースから当該通信設備の通信設備情報を送信する通信設備情報送信手段と、主携帯端末から送られてきた作業の実施結果をデータベースに書き込み登録する実施結果登録手段とを備え、主携帯端末は、サーバに作業情報を要求しサーバから作業情報を受信して表示するとともにこの作業情報を副携帯端末に転送する作業情報伝達手段と、副携帯端末から送られてきた情報媒体の固有情報を表示するとともに、この固有情報をサーバに転送する設備情報伝達手段と、副携帯端末から送られてきた作業の実施結果を表示して記録しこの実施結果をサーバに転送する実施結果伝達記録手段とを備え、副携帯端末は、主携帯端末から受信した作業情報を表示する作業情報表示手段と、読み取った情報媒体の固有情報を表示するとともにその固有情報を主携帯端末に送信する設備情報送信手段と、作業の実施結果が入力されると、その実施結果を表示して記録し主携帯端末に送信する実施結果送信手段とを備えて構成され、作業対象設備に対して作業を行う際、作業監理者が主携帯端末を作業対象設備の作業場所の近くに持ち込み、作業員が副携帯端末を上記作業対象設備の作業場所に持ち込む第１のステップと、主携帯端末からの要求に応じてサーバが主携帯端末に作業情報を送信し、主携帯端末に作業情報を表示させる第２のステップと、副携帯端末により作業対象設備に添付されている情報媒体の固有情報を読み取り、読み取られた固有情報を副携帯端末に表示するととともに主携帯端末に送信する第３のステップと、副携帯端末から送られてきた固有情報を主携帯端末に表示するとともに、主携帯端末によりこの固有情報をサーバに転送する第４のステップと、作業の実施終了後、作業の実施結果を副携帯端末に入力して表示し記録するとともに、この実施結果を主携帯端末に送信する第５のステップと、副携帯端末から作業の実施結果が主携帯端末に送られてくると、この実施結果を主携帯端末に表示させて記録し、この実施結果をサーバに転送する第６のステップと、主携帯端末から送られてきた実施結果をデータベースに書き込み登録する第７のステップとを有するようにしたものである。
【００３２】
本発明の請求項１３に係るケーブルネットワークの管理方法では、回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業監理者により作業対象設備の作業場所の近くに持ち込まれ、上記サーバと通信により情報を送受信して遣り取りを行う主携帯端末と、作業員により上記作業対象設備の作業場所に持ち込まれ、上記主携帯端末と無線通信により情報を送受信して遣り取りを行うとともに、情報媒体の固有情報を読み取る副携帯端末とを備えて構成され、サーバは、主携帯端末からの要求に基づいて予め決められた作業情報を送信する作業情報送信手段と、主携帯端末から送られてきた固有情報に基づいてデータベースから当該通信設備の通信設備情報を送信する通信設備情報送信手段と、主携帯端末から送られてきた作業の実施結果をデータベースに書き込み登録する実施結果登録手段とを備え、主携帯端末は、サーバに作業情報を要求しサーバから作業情報を受信して表示するとともにこの作業情報を副携帯端末に転送する作業情報伝達手段と、副携帯端末から送られてきた情報媒体の固有情報を表示するとともに、この固有情報をサーバに転送する設備情報伝達手段と、副携帯端末から送られてきた作業の実施結果を表示して記録しこの実施結果をサーバに転送する実施結果伝達記録手段とを備え、副携帯端末は、主携帯端末から受信した作業情報を表示する作業情報表示手段と、読み取った情報媒体の固有情報を表示するとともにその固有情報を主携帯端末に送信する設備情報送信手段と、作業の実施結果が入力されると、その実施結果を表示して記録し主携帯端末に送信する実施結果送信手段とを備えて構成され、作業対象設備に対して作業を行う際、作業監理者が主携帯端末を作業対象設備の作業場所の近くに持ち込み、作業員が副携帯端末を上記作業対象設備の作業場所に持ち込む第１のステップと、主携帯端末からの要求に応じてサーバが主携帯端末に作業情報を送信し、主携帯端末に作業情報を表示させる第２のステップと、副携帯端末により作業対象設備に添付されている情報媒体の固有情報を読み取り、読み取られた固有情報を副携帯端末に表示するととともに主携帯端末に送信する第３のステップと、副携帯端末から送られてきた固有情報を主携帯端末に表示するとともに、主携帯端末によりこの固有情報をサーバに転送する第４のステップと、作業の実施終了後、作業の実施結果を副携帯端末に入力して表示し記録するとともに、この実施結果を主携帯端末に送信する第５のステップと、副携帯端末から作業の実施結果が主携帯端末に送られてくると、この実施結果を主携帯端末に表示させて記録し、この実施結果をサーバに転送する第６のステップと、主携帯端末から送られてきた実施結果をデータベースに書き込み登録する第７のステップとを有するようにしたことにより、作業時、第１のステップで、主携帯端末が作業監理者により作業対象設備の作業場所の近くに持ち込まれ、副携帯端末が作業員により上記作業対象設備の作業場所に持ち込まれると、第２のステップで、主携帯端末はサーバに作業情報を要求し、作業情報がサーバから主携帯端末に送信されると、主携帯端末にはその作業情報が表示される。第３のステップで、副携帯端末が作業対象設備に添付されている情報媒体の固有を読み取ると、副携帯端末は読み取った回線または配線設備に関する固有情報を表示するととともに主携帯端末に送信する。第４のステップで、副携帯端末から主携帯端末に送信された固有情報は、主携帯端末に表示されるとともにサーバに送信される。このとき、サーバ側では作業の開始とみなして作業状況監視状態となる。サーバは、主携帯端末から送られてきた固有情報に基づいてデータベースから当該通信設備の通信設備情報を主携帯端末に送信する。主携帯端末は、サーバから送られてきた固有情報に基づいた通信設備情報を副携帯端末に送信する。副携帯端末には、データベースからの固有情報に基づいた通信設備情報が表示されるので、作業者は、このデータベースからの通信設備情報が作業情報に基づいた作業対象設備であるかどうかを副携帯端末を通じて判断することができる。作業者は読み取った固有情報に基づいた通信設備情報が作業情報に基づいた作業対象設備情報と合致すれば、作業を開始することができ、合致しなければ、読み取った情報媒体が添付された通信設備が作業対象でないことが判明する。このため、作業対象となる通信設備を間違えることがない。作業の実施が終了すると、第５のステップで、作業の実施結果を副携帯端末に入力して表示し記録するとともに、この実施結果を主携帯端末に送信する。第６のステップで、副携帯端末から主携帯端末に送られてきた作業の実施結果は、主携帯端末に表示されて記録されるとともに、サーバに送信される。第７のステップで、サーバは主携帯端末から作業の実施結果が送られてくると、データベースに書き込み登録する。このため、作業現場での作業時、作業監理者も作業員もサーバから直接現場で作業情報を受け取ることができるので、紙に書かれた作業指示書や作業内容のメモを取りに最寄りの事務所に戻る必要がなく、作業が効率化される。また、作業完了後、副携帯端末を通じて直ちに作業の実施結果が主携帯端末を通じてデータベースに登録されるので、データベースでは、リアルタイムでデータを更新することができ、データベースへの書き込み登録が迅速化され、常に最新のネットワーク管理が実現できる。また、作業が終了した後に、作業終了操作を行うことにより、リアルタイムでデータベース作業終了が登録され、事務所で作業終了を的確に把握できる。作業時、副携帯端末を作業対象設備の作業場所に持ち込み、主携帯端末を作業対象設備近くの操作しやすい場所に配して、作業を行うことができる。作業員と作業監理者を分けることにより作業員は現場作業に作業監理者は監理作業にそれぞれ集中できるので、作業が効率化される。
【００３３】
本発明の請求項１４に係るケーブルネットワークの管理方法は、主携帯端末は、読み取った回線または配線設備に関する固有情報が、サーバから受信した作業情報の回線または配線設備に関する設備情報に合致しているかどうかを判定し、判定結果を表示する読取情報判定手段を備え、第４のステップで、副携帯端末により読み取られた固有情報が副携帯端末から主携帯端末に送られてくると、読み取った固有情報を、作業情報で指示された作業対象の回線または配線設備に合致するかどうかを判定し、判定結果を表示し、合致する場合、主携帯端末に表示させて記録するとともに、主携帯端末によりこの固有情報をサーバに転送するようにしたものである。
【００３４】
本発明の請求項１４に係るケーブルネットワークの管理方法では、主携帯端末は、読み取った回線または配線設備に関する固有情報が、サーバから受信した作業情報の回線または配線設備に関する設備情報に合致しているかどうかを判定し、判定結果を表示する読取情報判定手段を備え、第４のステップで、副携帯端末により読み取られた固有情報が副携帯端末から主携帯端末に送られてくると、読み取った固有情報を、作業情報で指示された作業対象の回線または配線設備に合致するかどうかを判定し、判定結果を表示し、合致する場合、主携帯端末に表示させて記録するとともに、主携帯端末によりこの固有情報をサーバに転送するようにしたことにより、第４のステップで、副携帯端末が読み取った設備情報が作業対象の設備かどうか判定されるので、たとえ作業現場に多数の通信設備があっても、受け取った作業情報に基づいて、読み取った情報媒体の情報から読み取った設備が作業対象となるべき回線または配線設備か否かが判別されるので、作業が迅速化され、作業ミスの発生がない。
【００３５】
本発明の請求項１５に係るケーブルネットワークの管理システムは、回線と両側に回線のケーブル端がそれぞれ臨む配線設備とを備えて構成されるケーブルネットワークと、上記配線設備に添付され、その配線設備を特定する固有情報が含まれる情報媒体と、このケーブルネットワークの回線と配線設備に関する通信設備のデータが上記固有情報と関連づけられて更新可能に格納されるとともに上記通信設備のデータが回線の方向のうち所定の方向を示すデータと関連づけられて格納されるデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、上記配線設備には、回線の方向のうち上記所定の方向を示す方向表示部を設け、サーバには、携帯端末から送られてきた配線設備の固有情報に基づいて、当該配線設備を特定するとともに、当該配線設備の両側に収容されたケーブルを上記所定の方向と関連づけて特定しその特定情報を携帯端末に送信するケーブル特定情報送信手段を設け、上記携帯端末に情報媒体の固有情報を読み取らせ、読み取ったこの固有情報をサーバに送信し、サーバにより特定された配線設備の情報と当該配線設備の両側に収容されたケーブルを上記所定の方向と関連づけて特定したケーブル特定情報とを携帯端末に送信して表示させるようにしたものである。
【００３６】
本発明の請求項１５に係るケーブルネットワークの管理システムでは、回線と両側に回線のケーブル端がそれぞれ臨む配線設備とを備えて構成されるケーブルネットワークと、上記配線設備に添付され、その配線設備を特定する固有情報が含まれる情報媒体と、このケーブルネットワークの回線と配線設備に関する通信設備のデータが上記固有情報と関連づけられて更新可能に格納されるとともに上記通信設備のデータが回線の方向のうち所定の方向を示すデータと関連づけられて格納されるデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、上記配線設備には、回線の方向のうち上記所定の方向を示す方向表示部を設け、サーバには、携帯端末から送られてきた配線設備の固有情報に基づいて、当該配線設備を特定するとともに、当該配線設備の両側に収容されたケーブルを上記所定の方向と関連づけて特定しその特定情報を携帯端末に送信するケーブル特定情報送信手段を設け、上記携帯端末に情報媒体の固有情報を読み取らせ、読み取ったこの固有情報をサーバに送信し、サーバにより特定された配線設備の情報と当該配線設備の両側に収容されたケーブルを上記所定の方向と関連づけて特定したケーブル特定情報とを携帯端末に送信して表示させるようにしたことにより、作業者が携帯端末により作業対象設備に添付された情報媒体の固有情報を読み取り、サーバに送信すると、サーバは、携帯端末から送られてきた固有情報に基づいてデータベースから当該配線設備を特定するとともに、当該配線設備の両側に収容されたケーブルを上記所定の方向と関連づけて特定し、これらの特定された配線設備情報と方向と関連づけられたケーブル情報とを携帯端末に送信する。携帯端末は、サーバから送られてきた配線設備情報と方向と関連づけられたケーブル情報とを表示するので、作業者は、これら配線設備情報と方向と関連づけられたケーブル情報とを、現場の配線設備の方向表示部に表示された方向と見比べるだけで、ケーブルを特定することができる。このため、ケーブルに情報媒体を添付する必要がなく配線設備にのみ情報媒体を添付するだけでケーブルが特定されるので、ケーブル毎に情報媒体を添付する必要がなくなり、添付する情報媒体の数が少なくてすむ。また、ケーブル情報を配線設備情報と関連させることによりデータベースのデータ負荷を減少させ、システムの高速化を図ることができる。
【００３７】
本発明の請求項１６に係るケーブルネットワークの管理システムは、サーバは、携帯端末からの要求に基づいて予め決められた作業情報を送信する作業情報送信手段と、携帯端末から送られてきた作業の実施結果をデータベースに書き込み登録する実施結果登録手段とを備え、携帯端末は、サーバに作業情報を要求しサーバから上記作業情報を受信して表示する作業情報受信手段と、作業の実施結果を入力して表示し記録するとともに、この実施結果をサーバに送信する実施結果送信記録手段とを備えたものである。
【００３８】
本発明の請求項１６に係るケーブルネットワークの管理システムでは、サーバは、携帯端末からの要求に基づいて予め決められた作業情報を送信する作業情報送信手段と、携帯端末から送られてきた作業の実施結果をデータベースに書き込み登録する実施結果登録手段とを備え、携帯端末は、サーバに作業情報を要求しサーバから上記作業情報を受信して表示する作業情報受信手段と、作業の実施結果を入力して表示し記録するとともに、この実施結果をサーバに送信する実施結果送信記録手段とを備えたことにより、携帯端末がサーバに作業情報を要求すると、サーバは作業情報を携帯端末に送信し、携帯端末には、作業情報が表示される。作業の実施終了後、携帯端末に作業の実施結果が入力されて表示され記録されると、携帯端末から作業の実施結果がサーバに送信され、サーバはその実施結果をデータベースに書き込み登録するようになっている。このため、リアルタイムでデータを更新することができ、データベースへの書き込み登録が迅速化され、常に最新のネットワーク管理が実現できる。
【００３９】
本発明の請求項１７に係るケーブルネットワークの管理システムは、携帯端末は、作業監理者により作業対象設備の作業場所の近くに持ち込まれ、サーバと通信により情報を送受信して遣り取りを行う主携帯端末と、作業員により上記作業対象設備の作業場所に持ち込まれ、上記主携帯端末と無線通信により情報を送受信して遣り取りを行うとともに、情報媒体の固有情報を読み取る副携帯端末とを備えて構成され、主携帯端末は、サーバに作業情報を要求しサーバから作業情報を受信して表示するとともにこの作業情報を副携帯端末に転送する作業情報伝達手段と、副携帯端末から送られてきた情報媒体の固有情報を表示してサーバに転送する設備情報伝達手段と、副携帯端末から送られてきた作業の実施結果を表示してサーバに転送する実施結果伝達記録手段とを備え、副携帯端末は、主携帯端末から受信した作業情報を表示する作業情報表示手段と、読み取った情報媒体の固有情報を表示して主携帯端末に送信する設備情報送信手段と、作業の実施結果が入力されると、その実施結果を表示して記録し主携帯端末に送信する実施結果送信手段とを備えたものである。
【００４０】
本発明の請求項１７に係るケーブルネットワークの管理システムでは、携帯端末は、作業監理者により作業対象設備の作業場所の近くに持ち込まれ、サーバと通信により情報を送受信して遣り取りを行う主携帯端末と、作業員により上記作業対象設備の作業場所に持ち込まれ、上記主携帯端末と無線通信により情報を送受信して遣り取りを行うとともに、情報媒体の固有情報を読み取る副携帯端末とを備えて構成され、主携帯端末は、サーバに作業情報を要求しサーバから作業情報を受信して表示するとともにこの作業情報を副携帯端末に転送する作業情報伝達手段と、副携帯端末から送られてきた情報媒体の固有情報を表示してサーバに転送する設備情報伝達手段と、副携帯端末から送られてきた作業の実施結果を表示してサーバに転送する実施結果伝達記録手段とを備え、副携帯端末は、主携帯端末から受信した作業情報を表示する作業情報表示手段と、読み取った情報媒体の固有情報を表示して主携帯端末に送信する設備情報送信手段と、作業の実施結果が入力されると、その実施結果を表示して記録し主携帯端末に送信する実施結果送信手段とを備えたことにより、作業対象の設備に対して作業を行う際、作業監理者により主携帯端末が作業対象設備の作業場所の近くに持ち込まれ、作業員により副携帯端末が作業対象設備の作業場所に持ち込まれる。主携帯端末によりサーバに対して作業情報が要求されると、サーバは予定された作業情報を主携帯端末に送信する。作業情報がサーバから主携帯端末に送信されると、主携帯端末は副携帯端末にその作業情報を転送し、副携帯端末には、その作業情報が表示される。この作業情報に基づいて作業員が副携帯端末により作業対象設備の配線設備に添付されている情報媒体を読み取ると、副携帯端末は、読み取った回線または配線設備に関する設備の固有情報を表示するとともに主携帯端末に送信する。主携帯端末は受け取った固有情報を表示してサーバに送信する。サーバは、主携帯端末から送られてきた固有情報に基づいてデータベースから当該配線設備を特定するとともに、当該配線設備の両側に収容されたケーブルを上記所定の方向と関連づけて特定し、これらの特定された配線設備情報と方向と関連づけられたケーブル情報とを主携帯端末に送信する。主携帯端末は、サーバから送られてきた特定された配線設備情報と方向と関連づけられたケーブル情報とを表示して副携帯端末に転送する。副携帯端末は、これら特定された配線設備情報と方向と関連づけられたケーブル情報とを表示するので、作業者は、これら配線設備情報と方向と関連づけられたケーブル情報とを、現場の配線設備の方向表示部に表示された方向と見比べるだけで、ケーブルを特定することができる。このとき、サーバ側では作業の開始とみなして作業状況監視状態となる。作業の実施完了後、作業員が副携帯端末に作業の実施結果を入力すると、副携帯端末は実施結果を表示して記録し、主携帯端末に送信する。主携帯端末は受け取った実施結果を表示して記録し、サーバに送信する。サーバは、作業の実施結果が送られてくると、その実施結果をデータベースに書き込み登録する。このため、作業現場での作業時、作業監理者も作業員もサーバから直接現場で作業情報を受け取ることができるので、紙に書かれた作業指示書や作業内容のメモを取りに最寄りの事務所に戻る必要がなく、作業が効率化される。また、作業完了後、副携帯端末を通じて直ちに作業の実施結果が主携帯端末を通じてデータベースに登録されるので、データベースでは、リアルタイムでデータを更新することができ、データベースへの書き込み登録が迅速化され、常に最新のネットワーク管理が実現できる。また、作業が終了した後に、作業終了操作を行うことにより、リアルタイムでデータベース作業終了が登録され、事務所で作業終了を的確に把握できる。作業時、副携帯端末を作業対象設備の作業場所に持ち込み、主携帯端末を作業対象設備近くの操作しやすい場所に配して、作業を行うことができる。作業員と作業監理者を分けることにより、作業員は現場作業に、作業監理者は監理作業にそれぞれ集中できるので、作業が効率化される。
【００４１】
本発明の請求項１８に係るケーブルネットワークの管理方法は、回線と両側に回線のケーブル端がそれぞれ臨む配線設備とを備えて構成されるケーブルネットワークと、上記配線設備に添付され、その配線設備を特定する固有情報が含まれる情報媒体と、このケーブルネットワークの回線と配線設備に関する通信設備のデータが上記固有情報と関連づけられて更新可能に格納されるとともに上記通信設備のデータが回線の方向のうち所定の方向を示すデータと関連づけられて格納されるデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、上記配線設備には、回線の方向のうち上記所定の方向を示す方向表示部を設け、サーバには、携帯端末から送られてきた配線設備の固有情報に基づいて、当該配線設備を特定するとともに、当該配線設備の両側に収容されたケーブルを上記所定の方向と関連づけて特定しその特定情報を携帯端末に送信するケーブル特定情報送信手段を設け、作業対象設備に対して作業を行う際、作業者が携帯端末を作業対象設備の作業場所に持ち込む第１のステップと、携帯端末により作業対象設備の配線設備に添付された情報媒体の固有情報を読み取らせ固有情報を表示するとともに、読み取られた固有情報をサーバに送信する第２のステップと、第２のステップで、サーバに送信された配線設備の固有情報に基づいて、当該配線設備を特定するとともに、当該配線設備の両側に収容されたケーブルを上記所定の方向と関連づけて特定しその特定情報を携帯端末に送信して表示させる第３のステップとを有するようにしたものである。
【００４２】
本発明の請求項１８に係るケーブルネットワークの管理方法では、回線と両側に回線のケーブル端がそれぞれ臨む配線設備とを備えて構成されるケーブルネットワークと、上記配線設備に添付され、その配線設備を特定する固有情報が含まれる情報媒体と、このケーブルネットワークの回線と配線設備に関する通信設備のデータが上記固有情報と関連づけられて更新可能に格納されるとともに上記通信設備のデータが回線の方向のうち所定の方向を示すデータと関連づけられて格納されるデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、上記配線設備には、回線の方向のうち上記所定の方向を示す方向表示部を設け、サーバには、携帯端末から送られてきた配線設備の固有情報に基づいて、当該配線設備を特定するとともに、当該配線設備の両側に収容されたケーブルを上記所定の方向と関連づけて特定しその特定情報を携帯端末に送信するケーブル特定情報送信手段を設け、作業対象設備に対して作業を行う際、作業者が携帯端末を作業対象設備の作業場所に持ち込む第１のステップと、携帯端末により作業対象設備の配線設備に添付された情報媒体の固有情報を読み取らせ固有情報を表示するとともに、読み取られた固有情報をサーバに送信する第２のステップと、第２のステップで、サーバに送信された配線設備の固有情報に基づいて、当該配線設備を特定するとともに、当該配線設備の両側に収容されたケーブルを上記所定の方向と関連づけて特定しその特定情報を携帯端末に送信して表示させる第３のステップとを有するようにしたことにより、作業対象設備に対して作業を行う際、第１のステップで、携帯端末が作業者により作業対象設備の作業場所に持ち込まれ、第２のステップで、携帯端末により作業対象設備の配線設備に添付された情報媒体を読み取らせこの情報媒体に書き込まれた固有情報を表示してサーバに送信し、第３のステップで、サーバは、携帯端末から送られてきた固有情報に基づいてデータベースから当該配線設備を特定するとともに、当該配線設備の両側に収容されたケーブルを上記所定の方向と関連づけて特定し、これらの特定された配線設備情報と方向と関連づけられたケーブル情報とを携帯端末に送信する。携帯端末は、サーバから送られてきた配線設備情報と方向と関連づけられたケーブル情報とを表示するので、作業者は、これら配線設備情報と方向と関連づけられたケーブル情報とを、現場の配線設備の方向表示部に表示された方向と見比べるだけで、ケーブルを特定することができる。このため、ケーブルに情報媒体を添付する必要がなく配線設備にのみ情報媒体を添付するだけでケーブルが特定されるので、ケーブル毎に情報媒体を添付する必要がなくなり、添付する情報媒体の数が少なくてすむ。さらに、多数の情報媒体を読み取る必要がないので、作業が迅速化される。
【発明の効果】
【００４３】
本発明の請求項１に係るケーブルネットワークの管理システムは、回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、サーバは、携帯端末からの要求に基づいて予め決められた作業情報を送信する作業情報送信手段と、携帯端末から送られてきた固有情報に基づいてデータベースから当該通信設備の通信設備情報を送信する通信設備情報送信手段と、携帯端末から送られてきた作業の実施結果をデータベースに書き込み登録する実施結果登録手段とを備え、携帯端末は、サーバに作業情報を要求しサーバから上記作業情報を受信して表示する作業情報受信手段と、情報媒体の固有情報を読み取りこの固有情報をサーバに送信する固有情報読取送信手段と、サーバが固有情報に基づいて特定した作業対象設備の回線または配線設備に関する通信設備の通信設備情報を表示する設備情報表示手段と、作業の実施結果を入力して表示し記録するとともにこの実施結果をサーバに送信する実施結果送信記録手段とを備えたので、作業者は、サーバから直接現場で作業情報を受け取ることができるので、作業が効率化される。データベースをリアルタイムで更新することができ、常に最新のネットワーク管理が実現できる。さらに、現場への到着が迅速化されるので、復旧作業も効率化される。
【００４４】
本発明の請求項１１に係るケーブルネットワークの管理方法は、回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、サーバは、携帯端末からの要求に基づいて予め決められた作業情報を送信する作業情報送信手段と、携帯端末から送られてきた固有情報に基づいてデータベースから当該通信設備の通信設備情報を送信する通信設備情報送信手段と、携帯端末から送られてきた作業の実施結果をデータベースに書き込み登録する実施結果登録手段とを備え、携帯端末は、サーバに作業情報を要求しサーバから上記作業情報を受信して表示する作業情報受信手段と、情報媒体の固有情報を読み取りこの固有情報をサーバに送信する固有情報読取送信手段と、サーバが固有情報に基づいて特定した作業対象設備の回線または配線設備に関する通信設備の通信設備情報を表示する設備情報表示手段と、作業の実施結果を入力して表示し記録するとともにこの実施結果をサーバに送信する実施結果送信記録手段とを備えて構成され、作業対象設備に対して作業を行う際、作業者が携帯端末を作業対象設備の作業場所に持ち込む第１のステップと、携帯端末からの要求に応じてサーバが携帯端末に作業情報を送信し、携帯端末に作業情報を表示させる第２のステップと、携帯端末により作業対象設備に添付されている情報媒体の固有情報を読み取り、この固有情報を表示するとともにサーバに送信する第３のステップと、サーバにより携帯端末から送られてきた固有情報に基づいてデータベースから当該通信設備の通信設備情報を携帯端末に送信して表示させる第４のステップと、作業の実施終了後、作業の実施結果を携帯端末に入力して表示し記録するとともにこの実施結果をサーバに送信する第５のステップと、携帯端末から作業の実施結果がサーバに送られてくると、データベースに書き込み登録する第６のステップとを有するようにしたので、作業時、紙に書かれた作業指示書や作業内容のメモを取りに最寄りの事務所に戻る必要がなく、サーバから直接現場で作業情報を受け取ることができ、作業が効率化される。また、作業完了後、携帯端末を通じて直ちに作業の実施結果がデータベースに登録され、作業の終了も登録されるので、データベースへの書き込み登録が迅速化され、常に最新のネットワーク管理が実現できる。さらに、故障復旧作業時、予め準備できる資料が少なくても、現場で直接センターのサーバに必要な情報を要求して得ることができ、復旧作業が迅速化される。
【００４５】
本発明の請求項１３に係るケーブルネットワークの管理方法は、回線と配線設備とを備え、これら通信設備に各設備を特定する固有情報が含まれる情報媒体を添付したケーブルネットワークと、このケーブルネットワークの通信設備のデータが上記固有情報と関連づけられて更新可能に格納されたデータベースと、このデータベースに基づいて通信設備情報を管理するサーバと、作業時、作業監理者により作業対象設備の作業場所の近くに持ち込まれ、上記サーバと通信により情報を送受信して遣り取りを行う主携帯端末と、作業員により上記作業対象設備の作業場所に持ち込まれ、上記主携帯端末と無線通信により情報を送受信して遣り取りを行うとともに、情報媒体の固有情報を読み取る副携帯端末とを備えて構成され、サーバは、主携帯端末からの要求に基づいて予め決められた作業情報を送信する作業情報送信手段と、主携帯端末から送られてきた固有情報に基づいてデータベースから当該通信設備の通信設備情報を送信する通信設備情報送信手段と、主携帯端末から送られてきた作業の実施結果をデータベースに書き込み登録する実施結果登録手段とを備え、主携帯端末は、サーバに作業情報を要求しサーバから作業情報を受信して表示するとともにこの作業情報を副携帯端末に転送する作業情報伝達手段と、副携帯端末から送られてきた情報媒体の固有情報を表示するとともに、この固有情報をサーバに転送する設備情報伝達手段と、副携帯端末から送られてきた作業の実施結果を表示して記録しこの実施結果をサーバに転送する実施結果伝達記録手段とを備え、副携帯端末は、主携帯端末から受信した作業情報を表示する作業情報表示手段と、読み取った情報媒体の固有情報を表示するとともにその固有情報を主携帯端末に送信する設備情報送信手段と、作業の実施結果が入力されると、その実施結果を表示して記録し主携帯端末に送信する実施結果送信手段とを備えて構成され、作業対象設備に対して作業を行う際、作業監理者が主携帯端末を作業対象設備の作業場所の近くに持ち込み、作業員が副携帯端末を上記作業対象設備の作業場所に持ち込む第１のステップと、主携帯端末からの要求に応じてサーバが主携帯端末に作業情報を送信し、主携帯端末に作業情報を表示させる第２のステップと、副携帯端末により作業対象設備に添付されている情報媒体の固有情報を読み取り、読み取られた固有情報を副携帯端末に表示するととともに主携帯端末に送信する第３のステップと、副携帯端末から送られてきた固有情報を主携帯端末に表示するとともに、主携帯端末によりこの固有情報をサーバに転送する第４のステップと、作業の実施終了後、作業の実施結果を副携帯端末に入力して表示し記録するとともに、この実施結果を主携帯端末に送信する第５のステップと、副携帯端末から作業の実施結果が主携帯端末に送られてくると、この実施結果を主携帯端末に表示させて記録し、この実施結果をサーバに転送する第６のステップと、主携帯端末から送られてきた実施結果をデータベースに書き込み登録する第７のステップとを有するようにしたので、作業時、作業監理者も作業員もサーバから直接現場で作業情報を受け取ることができ、作業が効率化される。データベースをリアルタイムで更新することができ、常に最新のネットワーク管理が実現できる。作業時、作業員と作業監理者を分けることにより作業員は現場作業に、作業監理者は監理作業にそれぞれ集中でき、作業が効率化される。
【００４６】
本発明の請求項１５に係るケーブルネットワークの管理システムは、回線と両側に回線のケーブル端がそれぞれ臨む配線設備とを備えて構成されるケーブルネットワークと、上記配線設備に添付され、その配線設備を特定する固有情報が含まれる情報媒体と、このケーブルネットワークの回線と配線設備に関する通信設備のデータが上記固有情報と関連づけられて更新可能に格納されるとともに上記通信設備のデータが回線の方向のうち所定の方向を示すデータと関連づけられて格納されるデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、上記配線設備には、回線の方向のうち上記所定の方向を示す方向表示部を設け、サーバには、携帯端末から送られてきた配線設備の固有情報に基づいて、当該配線設備を特定するとともに、当該配線設備の両側に収容されたケーブルを上記所定の方向と関連づけて特定しその特定情報を携帯端末に送信するケーブル特定情報送信手段を設け、上記携帯端末に情報媒体の固有情報を読み取らせ、読み取ったこの固有情報をサーバに送信し、サーバにより特定された配線設備の情報と当該配線設備の両側に収容されたケーブルを上記所定の方向と関連づけて特定したケーブル特定情報とを携帯端末に送信して表示させるようにしたので、ケーブルに情報媒体を添付する必要がなくなり、添付する情報媒体の数を減らしてコストダウンを図ることができる効果がある。
【００４７】
本発明の請求項１８に係るケーブルネットワークの管理方法は、回線と両側に回線のケーブル端がそれぞれ臨む配線設備とを備えて構成されるケーブルネットワークと、上記配線設備に添付され、その配線設備を特定する固有情報が含まれる情報媒体と、このケーブルネットワークの回線と配線設備に関する通信設備のデータが上記固有情報と関連づけられて更新可能に格納されるとともに上記通信設備のデータが回線の方向のうち所定の方向を示すデータと関連づけられて格納されるデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、上記配線設備には、回線の方向のうち上記所定の方向を示す方向表示部を設け、サーバには、携帯端末から送られてきた配線設備の固有情報に基づいて、当該配線設備を特定するとともに、当該配線設備の両側に収容されたケーブルを上記所定の方向と関連づけて特定しその特定情報を携帯端末に送信するケーブル特定情報送信手段を設け、作業対象設備に対して作業を行う際、作業者が携帯端末を作業対象設備の作業場所に持ち込む第１のステップと、携帯端末により作業対象設備の配線設備に添付された情報媒体の固有情報を読み取らせ固有情報を表示するとともに、読み取られた固有情報をサーバに送信する第２のステップと、第２のステップで、サーバに送信された配線設備の固有情報に基づいて、当該配線設備を特定するとともに、当該配線設備の両側に収容されたケーブルを上記所定の方向と関連づけて特定しその特定情報を携帯端末に送信して表示させる第３のステップとを有するようにしたので、ケーブルに情報媒体を添付する必要がなくなり、添付する情報媒体の数が少なくてすむ。さらに、多数の情報媒体を読み取る必要がないので、作業が迅速化される。
【発明を実施するための最良の形態】
【００４８】
作業の効率化を図るという目的を、回線と両側にこれら回線のケーブル端がそれぞれ臨む配線設備とを備えて構成されるケーブルネットワークと、上記配線設備に添付され、その配線設備を特定する固有情報が含まれる情報媒体と、このケーブルネットワークの回線と配線設備に関する通信設備のデータが上記固有情報と関連づけられて更新可能に格納されるとともに上記通信設備のデータが回線の方向のうち所定の方向を示すデータと関連づけられて格納されるデータベースと、このデータベースに基づいて通信設備情報を管理するサーバと、作業時、作業者により作業対象設備の作業場所に持ち込まれ、上記サーバと通信により作業に関する情報を送受信して遣り取りを行うとともに、情報媒体の固有情報を読み取る携帯端末とを備えるとともに、上記配線設備には、回線の方向のうち上記所定の方向を示す方向表示部を設け、携帯端末は、作業監理者により作業対象設備の作業場所の近くに持ち込まれ、上記サーバと通信により情報を送受信して遣り取りを行う主携帯端末と、作業員により上記作業対象設備の作業場所に持ち込まれ、上記主携帯端末と無線通信により情報を送受信して遣り取りを行うとともに、情報媒体の固有情報を読み取る副携帯端末とを備えて構成され、副携帯端末は、主携帯端末から受信した作業情報を表示する機能と、読み取った情報媒体の固有情報を表示して主携帯端末に送信する機能と、作業の実施結果が入力されると、その実施結果を表示して記録し主携帯端末に送信する機能とを備え、主携帯端末は、サーバに作業情報を要求しサーバから作業情報を受信して表示するとともにこの作業情報を副携帯端末に転送する機能と、副携帯端末から送られてきた情報媒体の固有情報を表示してサーバに転送する機能と、副携帯端末から送られてきた作業の実施結果を表示して記録しこの実施結果をサーバに転送する機能とを備えるように構成し、主携帯端末を、携帯電話とこの携帯電話と電気的に接続されたノート型パソコンとにより構成し、情報媒体を情報を記録するＩＣチップと無線通信用アンテナとを備えたＩＣタグにより構成し、副携帯端末を、このＩＣタグを読み取り、作業結果を携帯電話に送信する個人用携帯情報端末により構成することにより実現した。
【実施例１】
【００４９】
以下、図面に示す実施例により本発明を説明する。図１は本発明の第１の実施例に係るケーブルネットワークの管理システムの構成を示す概略説明図であり、図２の（Ａ）ないし（Ｃ）はそれぞれケーブルネットワークの管理システムにおける作業の一例を順を追って示す説明図である。本実施例に係るケーブルネットワークの管理システムは、図１に示すように、センター３には、設備ごとの識別情報（固有情報）と関連づけられた通信設備のデータが更新可能に格納されたデータベース（通信設備データベース、図示せず）と、このデータベースに基づいて通信設備情報を管理するセンターサーバ（サーバ）２が設置される。このセンターホストとしてのセンターサーバ２は、光ファイバーケーブルネットワーク網の設備を集中管理するようになっている。このセンターサーバ２は、オペレータにより設備情報や作業情報がデータベースに書き込まれて登録されるとともに、外部から送信されてくる情報（設備の識別情報、作業情報要求情報、作業実施結果情報等）に基づいて、データベースに格納された作業情報、作業対象設備の情報および送られてきた識別情報に対応する設備情報を送信したり、作業実施結果をデータベースに書き込んで登録できるようになっている。
【００５０】
データベース（図示せず）には、光ファイバネットワーク網の工事や保守管理に必須の各種情報、例えば、作業計画情報、設備情報、回線収容情報、例えば、設備がメカニカルクロージャ（配線箱）の場合は、ＩＣタグの設備固有情報、設備の名称、設置場所、型式、製造年月日、担当事業所、収容されている光ファイバーケーブルの名称、収容位置、型式、製造年月日等が収納される。つまり、工事や保守管理を、ケーブルネットワークの管理システムを利用して実施するため、回線構成や障害復旧を行う作業計画情報（作業の種類、作業対象設備、作業対象の回線、作業時間など）、設備情報、回線収容情報（光ファイバーケーブル網の構成情報、配線箱に収容される光ファイバーケーブルの設備情報、光ファイバーケーブルに収容されるテープ心線の種別、心線の使用状況）、運転状況（機器の運転状態の情報、作業の開始・終了の情報）等のデータである。なお、本実施例において、回線とは、多数の心線を含む光ファイバーケーブルまたはメタルケーブルをいう。
【００５１】
光ファイバーケーブルネットワーク網は、光ファイバーケーブル５とメカニカルクロージャ（配線設備）４とを備えて構成される。メカニカルクロージャ４の両側には、図３に示すように、光ファイバーケーブル５の端部がそれぞれ臨むようになっている。光ファイバネットワーク網の一部を構成するメカニカルクロージャ４およびこのメカニカルクロージャ４に収容された複数の光ファイバーケーブル５にはそれぞれ、固有の識別情報（固有情報）を記録したＩＣタグ（情報媒体）６Ｍ、６Ｃが予め添付される。メカニカルクロージャ４には、配線設備用のＩＣタグ６Ｍが、光ファイバーケーブル５には、回線設備用のＩＣタグ６Ｃがそれぞれ添付される。これら固有の識別情報は、センターサーバ２のデータベースに格納された各設備の情報に合致するようになっている。ＩＣタグ６Ｍ、６Ｃは情報を記録するＩＣチップと、無線通信用のアンテナとを組み合わせた小型装置で、無線ＩＣタグ、無線タグ、ＲＦＩＤ（Radio Frequency ID）タグ、ＲＦタグと呼ばれることもある。ＩＣタグ６Ｍ、６Ｃは無線通信により非接触で後述する副携帯端末２０（携帯端末４０）により個別情報が読み取られるようになっている。ＩＣタグ６Ｍ、６Ｃを交換する際には、データベースに合致させるため、同一の固有情報を有するＩＣタグに交換されるか、または、データベースのデータをＩＣタグに合致させるように更新するようになっている。図３中、符号９は心線の接続点を示す。本実施例のＩＣタグ６Ｍ、６Ｃは、５cm程度離れた位置から情報を検出するようにしている。なお、本実施例中、設備情報とは、図１ないし３に示すように、光ファイバーケーブル５の情報である回線設備情報およびメカニカルクロージャ４の情報である配線設備情報をいう。しかしながら、これらに限定されるものではなく、広義には、ケーブルネットワークを構成する他の設備の情報も含む情報をいう。
【００５２】
光ファイバネットワーク網のサービス提供エリアには、事務所７が適切な場所に分散して配置される。この事務所７には、作業管理用遠隔端末装置（パーソナルコンピュータ）８が設置される。作業管理用遠隔端末装置８は、センターサーバ２と電話回線網、専用線、インターネット網または公衆無線ＬＡＮ網を通じて通信可能になっている。作業管理用遠隔端末装置８は、予め計画された作業計画の入力に加えて、作業の指示、作業対象現場で実行される作業の進捗状況の確認やその作業の実施結果の確認等もセンターサーバ２を通じて遠隔地でリアルタイム処理により行うことができるようになっている。また、作業管理用遠隔端末装置８は、センターサーバ２で必要なデータの登録機能、変更機能、削除機能および照会機能も有しているとともに、ケーブルネットワークの状況を監視することもできるようになっている。すなわち、作業を指示するセンターとしての役割は、センターサーバ２の設置場所であるセンター３でも、事務所７でも果たすことができるようになっている。
【００５３】
ところで、本実施例に係るケーブルネットワークの管理システムでは、センターサーバ２と無線通信により情報を送受信して遣り取りを行う主携帯端末１０を備えている。主携帯端末１０は、センターサーバ２と作業に関する情報を送受信し、作業情報を表示するとともに作業の実施状況および作業の実施結果をこのセンターサーバ２に送信するようになっている。主携帯端末１０は、ノート型パソコン１１とこのノート型パソコン１１と電気的にあるいは無線で接続された携帯電話１２とを備えて構成される。この主携帯端末１０は、作業班が携帯して車両などで工事現場あるいは故障復旧現場等の作業現場の近くに持ち運ばれるようになっている。携帯電話１２はセンターサーバ２との通信機能を果たし、ノート型パソコン１１は、携帯電話１２を通じてセンターサーバ２から送られてくる作業情報を表示して記録し、作業の実施状況および作業の実施結果をセンターサーバ２に送信するようになっている。主携帯端末１０は、作業を管理監督する作業監理者Ｗ１により操作され、作業場所近くの車両内Ａ、あるいは、作業場所近くの地上に設置される。以下、作業場所Ｂ近くであって主携帯端末１０が設置される場所を監理者用現場Ａという。
【００５４】
また、本実施例に係るケーブルネットワークの管理システムでは、作業対象設備（本実施例の場合、作業対象のメカニカルクロージャ４が相当する。）の作業場所Ｂで作業員Ｗ２に持ち込まれる副携帯端末２０を備えている。この副携帯端末２０は、上記主携帯端末１０と無線通信により回線または配線設備の設備情報と作業情報とを送受信して遣り取りを行うようになっている。作業場所Ｂは、例えば、高架用メカニカルクロージャ４が設置される地上数メートル上空の電柱であったり、地中用メカニカルクロージャが設置される地中であったり、構造物の内部に設置されるメカニカルクロージャの設置場所であったりする。この作業場所Ｂは、監理者用現場Ａ近くの離れた場所で、実際に作業を行う場所をいう。副携帯端末２０は、実際に作業する作業員Ｗ２により作業場所Ｂに持ち運ばれ、作業員Ｗ２により操作される。
【００５５】
この副携帯端末２０は、例えば、個人用携帯情報端末（ＰＤＡ、Personal Digital Assistants）であって、メカニカルクロージャ４や光ファイバーケーブル５に添付されたＩＣタグ６Ｍ、６Ｃを読み取る読取部（図示せず）を有している。副携帯端末２０は、センターサーバ２から作業現場で行うべき予め決められた作業情報を主携帯端末１０を経由して受け取り表示する機能（作業情報受信手段）を備えている。また、副携帯端末２０は、読み取ったＩＣタグ６Ｍ、６Ｃの識別情報（設備の固有情報）を画面に表示するとともにこの識別情報を主携帯端末１０に送信する機能（設備情報送信手段）を備えている。さらに、副携帯端末２０は、作業員Ｗ２が、受け取った作業情報に基づいて作業を完了させ、作業員Ｗ２によりその作業の実施結果（作業の変更結果、調査結果および作業の終了結果も含む。）が入力されると、その作業の実施結果を画面に表示して記録し、この実施結果を主携帯端末１０に送信する機能（実施結果送信手段）を備えている。また、副携帯端末２０は、主携帯端末１０が作業の実施結果をサーバ２に送信した結果を受け取り、その結果を画面に表示する機能（送信結果確認表示手段）を備えている。
【００５６】
すなわち、副携帯端末２０は、主携帯端末１０がセンターサーバ２にこれから行う予定の作業情報の受け取りを要求すると、センターサーバ２から予定された作業情報が主携帯端末１０に送信され、主携帯端末１０を介してその作業情報を受け取ることができるようになっている。また、副携帯端末２０は、作業場所ＢでＩＣタグ６Ｍ、６Ｃを通じて読み取った設備の識別情報を主携帯端末１０に送信するようになっている。さらに、副携帯端末２０は、作業終了後、作業の実施結果が入力されると、その実施結果を画面に表示して記録し、主携帯端末１０を通じてセンターサーバ２に送信するようになっている。また、副携帯端末２０は、主携帯端末１０が作業の実施結果をセンターサーバ２に送信した結果を受け取り、その結果を画面に表示するようになっている。さらに、副携帯端末２０は、作業の実施結果がセンターサーバ２に登録されると、登録された旨の情報を主携帯端末１０を介して受け取ることができるようになっている。
【００５７】
主携帯端末１０は、センターサーバ２にこれから行う予定の作業情報の受け取りを要求すると、センターサーバ２からその作業現場で行うべき予め決められた作業情報を受け取り表示するとともにこの作業情報を副携帯端末２０に転送する機能（作業情報伝達手段）を備えている。また、主携帯端末１０は、副携帯端末２０からＩＣタグ６Ｍ、６Ｃの識別情報が送られてくると、この識別情報をノート型パソコン１１の画面に表示するとともに携帯電話１２によりセンターサーバ２に転送するとともに、センターサーバ２からこの識別情報に対応した設備情報が送られてくると、この設備情報を表示するとともに副携帯端末２０に転送する機能（設備情報伝達手段）を備えている。さらに、主携帯端末１０は、副携帯端末２０から送られてきた作業の実施結果を表示して記録するとともにこの実施結果をセンターサーバ２に送信する機能（実施結果伝達記録手段）を備えている。
【００５８】
すなわち、主携帯端末１０は、センターサーバ２に作業情報の受け取りを要求すると、センターサーバ２から予定された作業情報を受け取って表示するようになっており、その作業情報は副携帯端末２０に送られる。また、主携帯端末１０は、副携帯端末２０からＩＣタグ６Ｍ、６Ｃを通じて読み取った設備の識別情報が送信されてくると、読み取った設備情報を表示してセンターサーバ２に送るようになっている。さらに、センターサーバ２から設備の識別情報に対応した設備情報が送られてくると、この設備情報を表示するとともに副携帯端末２０に転送するようになっている。また、主携帯端末１０は、作業終了後、副携帯端末２０から作業の実施結果が送信されてくると、その実施結果をノート型パソコン１１の画面に表示させて記録するとともに、センターサーバ２に送信するようになっている。さらに、主携帯端末１０は、センターサーバ２が実施結果を登録すると、センターサーバ２から登録した旨の情報を受け取り、副携帯端末２０に転送するようになっている。
【００５９】
センターサーバ２は、主携帯端末１０から作業情報受け取りの要求があると、予め決められた作業情報を主携帯端末１０に送信する機能（作業情報送信手段）を備えている。また、センターサーバ２は、主携帯端末１０から送られてきた識別情報に基づいてデータベースから当該通信設備の通信設備情報を送信する機能（通信設備情報送信手段）を備えている。さらに、センターサーバ２は、主携帯端末１０を介して副携帯端末２０から送られてきた作業の実施結果をデータベースに書き込み登録する機能（実施結果登録手段）を備えている。
【００６０】
すなわち、センターサーバ２は、どこかにいる作業監理者Ｗ１が持ち運んでいる主携帯端末１０から要求があると、この主携帯端末１０に予め決められた作業情報を送信するようになっている。作業情報は、作業場所の住所または位置、作業予定開始時間、作業対象設備（作業対象のメカニカルクロージャ４、作業対象の光ファイバーケーブル５）の特定、作業内容（どの心線を接続するか、どの心線を取り外すか、どの心線を調査するか等）が含まれる。また、センターサーバ２は、携帯端末１０から設備の識別情報が送信されてくると、その識別情報に基づいてデータベースから当該設備の設備情報を送信するようになっている。さらに、センターサーバ２は、携帯端末１０を経由して副携帯端末２０から作業の実施結果が送信されてくると、その作業の実施結果をデータベースに書き込み登録するとともに、登録した旨の情報を主携帯端末１０に送信するようになっている。主携帯端末１０は、登録した旨の情報を表示して記録するとともに、その情報が副携帯端末２０に転送されると、副携帯端末２０もその登録した旨の情報を受け取ることができるようになっている。
【００６１】
ところで、副携帯端末２０による読み取った識別情報の送信並びに作業の実施結果の送信は、両方行うようにしているがこれに限られるものではなく、どちらか一方だけ行うようにしてもよい。例えば、障害発生時や調査時など、作業の実施結果さえ、得られればよい場合がある。例えば、障害発生による復旧時には、障害発生状況を把握して、障害の発生した設備の識別情報を送信し、その障害発生状況をデータベースに書き込み登録しさえすれば、その状況に対応した新たな回線構成を図ることができる。すなわち、障害発生時には、心線の被災結果情報や心線の迂回情報さえ得られればよい。また、調査の場合も、調査結果情報が得られれば、その調査結果情報をデータベースに書き込み登録しさえすればよい。これらのような場合、主携帯端末１０から送られてきた作業の実施結果をそのままデータベースに書き込み登録する。作業の実施結果の送信は、副携帯端末２０に代えて主携帯端末１０で行うようにしてもよい。
【００６２】
センター３のセンターサーバ２に、事務所７の作業管理用遠隔端末装置８が通信可能になっている場合、作業管理用遠隔端末装置８は、センターサーバ２が入手する主携帯端末１０からのすべての情報と、センターサーバ２のデータベースが有する情報が表示されるようになっている。すなわち、事務所７の作業管理用遠隔端末装置８を操作する管理運営責任者は、センターサーバ２を通じて、主携帯端末１０に作業の指示を出したり、照会を行うことができるようになっている。この事務所７は、監理者用現場Ａの最寄りの事務所であってもよいし、監理者用現場Ａから遠隔の地にある事務所または車両内であってもよい。
【００６３】
主携帯端末１０は、ＧＰＳ（Global Positioning System、全地球測位システム、図示せず）を備えている。すなわち、主携帯端末１０の位置を、ＧＰＳを通じて割り出し、ノート型パソコン１１に表示される地図上に表示するとともに、その地図上には、センターサーバ２から送られた作業対象の情報に基づいて現場の位置も表示されるようになっている。このため、主携帯端末１０を携帯した作業班がどこにいても、次の作業現場の地図や次の作業内容を受け取りにセンターや支所、事務所に戻る必要がなく、リアルタイムで次の作業現場の地図や次の作業内容を主携帯端末１０を通じて得られるようになっている。副携帯端末２０は、主携帯端末１０が取得したＧＰＳによる位置情報を受信して表示する機能を有していてもよい。
【００６４】
主携帯端末１０のノート型パソコン１１と副携帯端末２０とはいずれも、作業が完了し、センターサーバ２から、作業結果登録済みの情報が送信され、電源がオフされると、オン時に記憶された作業開始から作業終了までのすべての作業情報がメモリから消去されるようになっている。このため、たとえ、ノート型パソコン１１と副携帯端末２０との少なくともいずれか一方が、紛失したり、他人の手に渡っても、作業情報が外部に流出しないようになっている。一旦、データが消去された後、当該ノート型パソコン１１または副携帯端末２０を通じて作業情報の照会や確認をする場合、ＩＤ番号とパスワード（暗証番号）とを入力してセンターサーバ２とアクセスするようになっている。
【００６５】
次に、本発明のケーブルネットワークの管理方法について、上記第１の実施例に係るケーブルネットワークの管理システムの作用に基づいて説明する。まず、最初に、作業現場に到着するまでの工程について説明する。主携帯端末１０を携帯する作業監理者Ｗ１と副携帯端末２０を携帯する作業員Ｗ２とが一緒になった作業班が、センター３または７から携帯電話１２を通じて作業の指令（作業件名と作業場所の指令）を受けると、図４に示すように、主携帯端末１０のノート型パソコン１１の電源をオンし（Ｓ１）、ＩＤ番号と暗証番号を入力する（Ｓ２）。すると、メニュー画面が表示され、指令を受けた作業種別を選択する（Ｓ３）。作業種別が選択されると、ノート型パソコン１１の端末番号と作業を行う旨の情報が、センター３のセンターサーバ２に送られ予定された作業情報を要求する（Ｓ４）。センターサーバ２では、受信した端末番号と作業種別と要求とに基づいてデータベースにアクセスし（Ｓ５）、データベースから作業件名と作業場所を検索し、検索された作業件名と作業場所（作業位置）を主携帯端末１０に送信する（Ｓ７）。ノート型パソコン１１では、ＧＰＳにより主携帯端末１０の位置を、ＧＰＳを通じて割り出し（Ｓ８）、その経緯度情報をセンターサーバ２に送信する（Ｓ９）。センターサーバ２は、作業位置の情報から主携帯端末１０の現在の位置情報を受信すると、データベースにアクセスし、地図に作業件名から作業場所と主携帯端末１０の現在地をマーキングし（Ｓ１０）、センターサーバ２はマーキングされた地図を主携帯端末１０に送信する（Ｓ１１）。すると、ノート型パソコン１１には、地図が表示されるとともに、その地図には、現在の位置と作業場所の位置とがマーキングされるようになっている（Ｓ１２）。このため、作業班がどこにいようと、指令を受けた作業現場に現在地から直接向かうことができる。また、マーキングされた地図がノート型パソコン１１の画面に表示されるので、作業場所Ｂを探し出しやすく、速やかに現場に到着することができる。
【００６６】
作業班が、現場に到着すると、作業員Ｗ２は、高所または地下にある作業場所Ｂに副携帯端末２０を携帯して持ち込み作業準備にかかり、作業監理者Ｗ１は、作業場所Ｂ近くの監理者用現場Ａで、主携帯端末１０を設置する（第１のステップＳ１０１、図５参照）。主携帯端末１０の設置が完了し、ノート型パソコン１１がオフになっている場合、再びオンし、ＩＤ番号と暗証番号を入力し、作業監理者Ｗ１はセンター３に作業情報の送信を求める。サーバ２は、主携帯端末１０から作業情報の要求があると、この主携帯端末１０に予め決められた作業情報を送信する。作業情報は、作業場所の住所または位置、作業予定開始時間、作業対象設備（作業対象のメカニカルクロージャ４、作業対象の光ファイバーケーブル５）の特定、作業内容（どの心線を接続するか、どの心線を取り外すか、どの心線を調査するか等）が含まれる。センターサーバ２から主携帯端末１０に作業情報が送信されてくると、作業情報の内容はノート型パソコン１１の画面に表示される（第２のステップＳ１０２）。次に、作業員Ｗ２の作業準備が完了し、副携帯端末２０の電源がオンされＩＤ番号と暗証番号が入力されると、ノート型パソコン１１から作業情報の内容が転送され、表示される。そして、作業員Ｗ２が、副携帯端末２０により作業対象設備であるメカニカルクロージャ４に添付されているＩＣタグ６Ｍを読み取ると、そのメカニカルクロージャ４に関する識別情報が副携帯端末２０の画面に表示されるとともに主携帯端末１０に送信される（第３のステップＳ１０３）。主携帯端末１０は、副携帯端末２０から送られてきた設備の識別情報をノート型パソコン１１の画面に表示するとともに、この識別情報をセンターサーバ２に送信する（第４のステップＳ１０４）。センターサーバ２は、送られてきた識別情報に基づいて、データベースから当該設備の設備情報を主携帯端末１０に送信する。主携帯端末１０は、センターサーバ２から設備の識別情報に対応した設備情報が送られてくると、この設備情報を表示するとともに副携帯端末２０に転送する。副携帯端末２０は、主携帯端末１０から識別情報に対応した設備情報が送られてくると、その設備情報を表示する（第５のステップＳ１０５）。このため、作業者Ｗ２は、このデータベースからの設備情報が作業情報に基づいた作業対象設備であるかどうかを副携帯端末を通じて判断することができる。作業者Ｗ２は読み取った固有情報に基づいた設備情報が作業情報に基づいた作業対象設備情報と合致すれば、作業を開始することができ、合致しなければ、読み取った情報媒体の添付された通信設備が作業対象でないことが判明する。その後、作業者Ｗ２による作業の実施が終了すると、作業者Ｗ２により作業の実施結果が副携帯端末２０に入力される。副携帯端末２０は作業の実施結果が入力されると、その実施結果を画面に表示して記録するとともに、この実施結果を主携帯端末１０に送信する（第６のステップＳ１０６）。主携帯端末１０に副携帯端末２０から作業の実施結果が送られてくると、この実施結果をノート型パソコン１１の画面に表示して記録するとともにセンターサーバ２にこの実施結果を送信する（第７のステップＳ１０７）。そして、センターサーバ２は、主携帯端末１０から送られてきた実施結果をデータベースに書き込み登録するようになっている（第８のステップＳ１０８）。
【００６７】
次に、上記実施例に係る工程のうち、上記第２のステップＳ１０２の工程について、図６に示すフローチャートに基づきより詳細に説明する。なお、以下、図７に示す光ファイバー系統図におけるある区間の回路構成を行う場合を例にとり説明する。作業班が、現場に到着すると（図４のＳ１２参照）、作業員Ｗ２は、高所または地下にある作業場所Ｂに副携帯端末２０を携帯して持ち込み作業準備にかかり、作業監理者Ｗ１は、作業場所Ｂ近くの監理者用現場Ａで、主携帯端末１０を設置する。主携帯端末１０の設置が完了し、ノート型パソコン１１がオフになっている場合、再びオンし（図６のステップＳ２０１）、ＩＤ番号と暗証番号を入力すると（ステップＳ２０２）、図８のトップメニュー画面が表示され（ステップＳ２０３）、作業種別を選択すると、センターサーバ２から作業件名と作業場所を確認するメニューが送られ、（ステップＳ２０４）、作業件名情報と作業場所情報とを主携帯端末１０に送信する（ステップＳ２０５）。次に、図９の作業件名が表示された画面から作業を行う作業件名（例えば、お客さま１）を選択する。主携帯端末１０により作業を行う作業件名（お客さま１）が選択されると、図１０に示す画面で作業件名の作業場所が表示される（ステップＳ２０７）。そして、図１０に示す画面で、作業件名（お客さま１）の作業場所（Ｂ（変）ＭＣ）が選択されると、この作業件名と作業場所とＩＤ番号とがセンターサーバ２に送信される（ステップＳ２０８）。これら情報がセンターサーバ２に送られると、センターサーバ２は、送られてきた作業件名（お客さま１）と作業場所とに基づいてこれら各作業場所の設備名称と設備に対応したＩＣタグ情報、回線構成情報など作業に必要な作業情報をデータベースから検索し（ステップＳ２０９）、検索された作業情報を主携帯端末１０に送信する（ステップＳ２１０）。主携帯端末１０には、図１１に示すように作業件名（お客さま１）に対応した作業情報の画面が表示される（ステップＳ２１１）。こうして、主携帯端末１０からの要求に応じてセンターサーバ２が主携帯端末１０に作業情報を送信し、主携帯端末１０に作業情報を表示させるようになっている。なお、上記実施例では、主携帯端末１０から作業件名と作業場所との情報がセンターサーバ２に送られると、センターサーバ２はデータベースから検索して一度に全部の作業情報を主携帯端末１０に送るようにしているが、これに限られるものではなく、まず、作業種別情報を、次に、作業件名情報と作業場所情報とをというように、主携帯端末１０とセンターサーバ２との間で、順にひとつずつ遣り取りしながら、最後に作業情報を主携帯端末１０に送るようにしてもよい。
【００６８】
次に、上記実施例に係る工程のうち、上記第５のステップＳ１０５の工程について説明する。上記第４のステップＳ１０４で、主携帯端末１０が副携帯端末２０から送られてきた設備の識別情報をノート型パソコン１１の画面に表示するとともに、この識別情報をセンターサーバ２に送信すると、第５のステップＳ１０５では、センターサーバ２は、送られてきた識別情報に基づいて、データベースから当該設備の設備情報を主携帯端末１０に送信し、主携帯端末１０は、センターサーバ２から設備の識別情報に対応した設備情報が送られてくると、この設備情報を表示するとともに副携帯端末２０に転送し、副携帯端末２０は、主携帯端末１０から識別情報に対応した設備情報が送られてくると、その設備情報を表示するようになっている。副携帯端末２０は、ＩＣタグ６Ｍの情報を受信すると、音で検出情報を作業員Ｗ２に知らせるようになっている。また、副携帯端末２０は、主携帯端末１０から識別情報に対応した設備情報が送られてくると、作業対象設備と一致する場合、対象設備の名称の文字を変化させ、作業員Ｗ２に知らせるようになっている。作業対象設備と一致しない場合、図１１に示すように、画面の右上にＩＣタグ６Ｍ、６Ｃの番号または設備名称を表示するようになっている。副携帯端末２０は、作業を予定している、目的の対象設備と合致するまで、他のメカニカルクロージャ４のＩＣタグの読み取りを繰り返し（図６のステップＳ２１３参照）、合致すると作業を開始するようになっている（図６のステップＳ２１４参照）。
【００６９】
次に、上記実施例に係る工程のうち、上記第６のステップＳ１０６から第８のステップＳ１０８までの工程について説明する。第５のステップＳ１０５で、ＩＣタグ６Ｍを読み取ったメカニカルクロージャ４が、作業対象の設備と合致すると、作業情報に基づいて、作業対象のケーブルを特定し、接続作業を開始する（図６のステップＳ２１４参照）。接続作業が完了すると、図１１に示す画面に示された当該作業場所における回線構成図の完了ボタンを選択する（図６のステップＳ２１５）。完了ボタンが押されると、作業の実施結果が主携帯端末１０を介してセンターサーバ２に送信される（図６のステップＳ２１６）。センターサーバ２は、この作業実施結果の情報を受信すると、作業の終了をデータベースに登録するとともに（図６のステップＳ２１７）、主携帯端末１０に作業の完了受信情報を送信する（図６のステップＳ２１８）。主携帯端末１０は、受信した作業の完了受信情報に基づいて図１１の画面に表示される作業場所の未完了表示（図示せず）を完了の表示に変えて、作業完了を表示するとともに、副携帯端末２０に転送し、副携帯端末２０にも主携帯端末１０と同様の表示を行い、作業員Ｗ２にデータベースへの登録が完了したことを知らせる（図６のステップＳ２１９）。主携帯端末１０と副携帯端末２０はそれぞれ、作業場所の作業表示が終了したことを確認して、電源をオフにする（図６のステップＳ２２０）。主携帯端末１０と副携帯端末２０はそれぞれ、電源がオフにされると、センターサーバ２から受信したすべての情報が消去されるようになっている（図６のステップＳ２２１）。
【００７０】
このように、上記実施例に係るケーブルネットワークの管理方法では、作業現場での作業時、作業監理者も作業員もサーバから直接現場で作業情報を受け取ることができるので、紙に書かれた作業指示書や作業内容のメモを取りに最寄りの事務所に戻る必要がなく、作業が効率化される。また、作業完了後、副携帯端末を通じて直ちに作業の実施結果が主携帯端末を通じてデータベースに登録されるので、データベースでは、リアルタイムでデータを更新することができ、データベースへの書き込み登録が迅速化され、常に最新のネットワーク管理が実現できる。作業時、副携帯端末を作業対象設備の作業場所に持ち込み、主携帯端末を作業対象設備近くの操作しやすい場所に配して、作業を行うことができる。作業員と作業監理者を分けることにより作業員は現場作業に、作業監理者は監理作業にそれぞれ集中できるので、作業が効率化される。
【実施例２】
【００７１】
次に、第２の実施例に係るケーブルネットワークの管理システムについて説明する。第２の実施例に係るケーブルネットワークの管理システムは、主携帯端末１０が、副携帯端末２０により読み取られた設備情報が予定された作業情報に基づいて作業対象設備に合致するかどうかを判定し、合致しない場合、判定結果を副携帯端末２０に送信し、間違いを知らせ、合致する場合、読み取られた設備情報を表示して記録し、センターサーバ２にその読み取られた設備情報を送信する機能（第１の判定手段）を備えている。また、主携帯端末１０は、副携帯端末２０に入力された実施結果が送られてくると、この実施結果が予定された作業情報に合致するかどうかを判定し、合致しない場合、実施内容判定結果を副携帯端末２０に送信し、間違いを知らせ、合致する場合、送られてきた実施結果を表示して記録し、センターサーバ２にその実施結果を送信する機能（第２の判定手段）を備えている。第２の実施例に係るケーブルネットワークの管理システムは、主携帯端末１０が第１第２の判定手段を備えている点が異なることを除いて上記第１の実施例とほぼ同一の構成を有している。すなわち、副携帯端末２０は、送信した回線または配線設備に関する設備情報が作業対象の回線または配線設備に合致するか否かの設備情報判定結果を主携帯端末１０から受け取り表示する機能（設備情報確認手段）を備えている。また、副携帯端末２０は、送信した実施結果が予定した作業情報に合致するか否かの実施内容判定結果を主携帯端末１０から受け取り表示する機能（実施結果確認表示手段）を備えている。
【００７２】
すなわち、副携帯端末２０は、作業場所ＢでＩＣタグ６Ｍ、６Ｃを通じて読み取った設備の識別情報を主携帯端末１０に送信して主携帯端末１０により照会できるようになっている。主携帯端末１０は、副携帯端末２０から送られてきた識別情報が作業情報に合致しなければ、合致しない旨の設備情報判定結果を副携帯端末２０に送信する。この場合、主携帯端末１０は、副携帯端末２０から送られてきた識別情報を記録せず、センターサーバ２にも送信しない。主携帯端末１０は、副携帯端末２０から送られてきた識別情報が作業情報に合致すると、合致した旨の設備情報判定結果を副携帯端末２０に送信するとともに、その識別情報を記録し、センターサーバ２に送信するようになっている。さらに、副携帯端末２０は、作業終了後、作業の実施結果を主携帯端末１０に送信して主携帯端末１０により照会できるようになっている。主携帯端末１０は、作業終了後、副携帯端末２０から送られてきた作業の実施結果が予定された作業情報に合致しなければ、合致しない旨の実施内容判定結果を副携帯端末２０に送信する。この場合、主携帯端末１０は、副携帯端末２０から送られてきた作業の実施結果を記録せず、センターサーバ２にも送信しない。主携帯端末１０は、副携帯端末２０から送られてきた実施結果が予定された作業情報に合致すると、合致した旨の実施内容判定結果を副携帯端末２０に送信するとともに、その実施結果をノート型パソコン１１の画面に表示させて記録するとともに、センターサーバ２に送信するようになっている。センターサーバ２は、主携帯端末１０から送られてきた実施結果を書き込み登録するようになっている。また、主携帯端末１０は、センターサーバ２が実施結果を登録すると、センターサーバ２から登録した旨の情報を受け取り、副携帯端末２０に転送するようになっている。このため、副携帯端末２０は、主携帯端末１０からの判定結果を受信し作業対象に間違いないかどうか、作業の実施結果に間違いがないかどうか確認できるようになっている。このように構成することにより、作業ミスの発生がなくなり、作業効率が向上する。なお、上記実施例では、主携帯端末１０が上記第１第２の判定手段を備えるようにしているがこれに限られるものではなく、副携帯端末２０がこれら判定手段を備えるようにしてもよいし、両端末１０、２０がこれら判定手段を備えるようにしてもよい。
【実施例３】
【００７３】
次に、第３の実施例に係るケーブルネットワークの管理システムについて説明する。第３の実施例に係るケーブルネットワークの管理システムは、上記第２の実施例に係るケーブルネットワークの管理システムでは、主携帯端末１０が、第１第２の判定手段を備え、副携帯端末２０が読み取った設備の識別情報が予定された作業情報に合致しているかどうか、副携帯端末２０から送られてきた作業の実施結果が予定された作業情報に合致しているかどうかをそれぞれ判定するようにしているのに対し、主携帯端末１０ではなく、センターサーバ２がこのような第１第２の判定手段を備えている点が異なっている。また、副携帯端末２０は、送信した回線または配線設備に関する設備の識別情報が作業対象の回線または配線設備に合致するか否かの設備情報判定結果をセンターサーバ２から主携帯端末１０を経由して受け取り表示する機能（設備情報確認手段）を備えている。また、副携帯端末２０は、送信した実施結果が予定した作業情報に合致するか否かの実施内容判定結果をセンターサーバ２から主携帯端末１０を経由して受け取り表示する機能（実施結果確認表示手段）を備えている。
【００７４】
すなわち、第３の実施例に係るケーブルネットワークの管理システムでは、センターサーバ２は、副携帯端末２０が読み取った設備の識別情報を主携帯端末１０を経由して受信すると、読み取られた識別情報が予定された作業情報に基づいて作業対象設備に合致するかどうかを判定し、合致しない場合、設備情報判定結果を主携帯端末１０に送信し、主携帯端末１０はその設備情報判定結果を副携帯端末２０に転送して、間違いを知らせるようになっている。合致する場合、主携帯端末１０は設備情報判定結果とともに、読み取られた設備の識別情報を表示して記録し、副携帯端末２０に合致する旨の設備情報判定結果を転送するようになっている。副携帯端末２０は、主携帯端末１０から合致する旨の判定結果を受信すると、読み取った識別情報を表示して記録するようになっている。また、センターサーバ２は、副携帯端末２０に入力された作業の実施結果が主携帯端末１０を経由して送られてくると、この実施結果が予定された作業情報に合致するかどうかを判定し、合致しない場合、実施内容判定結果を主携帯端末１０に送信し、主携帯端末１０はその実施内容判定結果を副携帯端末２０に転送して、間違いを知らせるようになっている。合致する場合、主携帯端末１０は送られてきた実施内容判定結果とともに実施結果を表示して記録し、副携帯端末２０にその合致する旨の実施内容判定結果を送信するようになっている。このように、副携帯端末２０は、センターサーバ２から主携帯端末１０を経由して判定結果を受信し作業対象に間違いないかどうか、実施結果が間違いないかどうか確認できるようになっている。このように構成することにより、作業監理者Ｗ１の負担を減らして、作業効率が向上する。
【実施例４】
【００７５】
次に、第４の実施例に係るケーブルネットワークの管理システムについて説明する。第４の実施例に係るケーブルネットワークの管理システムは、上記第１ないし第３に係るケーブルネットワークの管理システムでは、主携帯端末１０がノート型パソコン１１とこのノート型パソコン１１と電気的にまたは無線で接続された携帯電話１２とを備えて構成されるのに対し、図１２に示すように、主携帯端末１０を携帯電話３０のみで構成した点を除き上記第１ないし第３の実施例とほぼ同一の構成を有している。すなわち、ノート型パソコン１１の画面を携帯電話３０の画面で、ノート型パソコン１１のメモリに記憶される情報を携帯電話３０のメモリで代用するようにしている。このため、上記第１ないし第３の実施例における主携帯端末１０の機能を携帯電話３０が備えるようになっている。このように構成したことにより、主携帯端末側の作業監理者は、携帯電話を通じて作業を管理監督でき、作業場所の近くを自在に移動することができ、作業性が向上する。
【実施例５】
【００７６】
次に、第５の実施例に係るケーブルネットワークの管理システムについて説明する。第５の実施例に係るケーブルネットワークの管理システムは、上記第１ないし第４に係るケーブルネットワークの管理システムでは、作業場所Ｂに、副携帯端末２０を、監理者用現場Ａに主携帯端末１０を持ち込むようにしているのに対し、図１３に示すように、主携帯端末と副携帯端末とを一体とした携帯端末４０が用いられる。携帯端末４０は、主携帯端末１０と副携帯端末２０との機能を備えている。すなわち、センターサーバ２と通信可能な通信部（図示せず）とメカニカルクロージャ４や光ファイバーケーブル５に添付されたＩＣタグ６Ｍ、６Ｃを読み取る読取部（図示せず）とを備えた個人用携帯情報端末（ＰＤＡ）により構成される。
【００７７】
この携帯端末４０は、サーバに作業情報を要求しサーバから上記作業情報を受信して表示する機能（作業情報受信手段）と、上記作業情報に基づいて、作業対象設備の情報媒体を読み取った回線または配線設備に関する設備の識別情報を表示する機能（設備情報表示手段）と、作業の実施結果を入力して表示し記録するとともにこの実施結果をセンターサーバ２に送信する機能（実施結果送信記録手段）とを備えている。センターサーバ２は、携帯端末４０からの要求に基づいて予め決められた作業情報を送信する機能（作業情報送信手段）と、携帯端末４０から送られてきた作業の実施結果をデータベースに書き込み登録する機能（実施結果登録手段）とを備えている。第５の実施例に係るケーブルネットワークの管理システムを用いたケーブルネットワークの管理方法は、図１２に示すように、作業対象設備に対して作業を行う際、作業者Ｗ２が携帯端末４０を作業対象設備の作業場所に持ち込む第１のステップ（Ｓ３０１）と、携帯端末４０からの要求に応じてセンターサーバ２２が携帯端末４０に作業情報を送信し、携帯端末４０に作業情報を表示させる第２のステップ（Ｓ３０２）と、携帯端末４０によりメカニカルクロージャ４に添付されているＩＣタグ６Ｍ、６Ｃを読み取り、回線または配線設備に関する設備の識別情報を表示するとともにセンターサーバ２に送信する第３のステップ（Ｓ３０３）と、サーバにより携帯端末から送られてきた固有情報に基づいてデータベースから当該通信設備の通信設備情報を携帯端末に送信して表示させる第４のステップ（Ｓ３０４）と、作業の実施終了後、作業の実施結果を携帯端末４０に入力して表示し記録するとともにこの実施結果をセンターサーバ２に送信する第５のステップ（Ｓ３０５）と、携帯端末４０から作業の実施結果がセンターサーバ２に送られてくると、データベースに書き込み登録する第６のステップ（Ｓ３０６）とを有している。
【００７８】
このため、作業現場での作業時、サーバから直接現場で作業情報を受け取ることができるので、紙に書かれた作業指示書や作業内容のメモを取りに最寄りの事務所に戻る必要がなく、作業が効率化される。また、作業完了後、携帯端末を通じて直ちに作業の実施結果がデータベースに登録されるので、データベースでは、リアルタイムでデータを更新することができ、データベースへの書き込み登録が迅速化され、常に最新のネットワーク管理が実現できる。さらに、故障復旧作業時、予め準備できる資料が少なくても、現場で直接センターのサーバに必要な情報を要求して得ることができ、復旧作業が迅速化される。さらに、作業中の作業班または外部にいる作業班はセンターからの指令に基づき、現在いる場所から直接次の現場に向かう間に次の現場で行う作業の指示情報を受け取ることができる。このため、現場への到着が迅速化され、作業も効率化される。さらに、携帯端末を一人の作業者が操作することができるので、作業の機動性が増す。
【実施例６】
【００７９】
本発明の第６の実施例に係るケーブルネットワークの管理システムは、上記第１ないし第５の実施例に係るケーブルネットワークの管理システムでは、ケーブルネットワークを構成する光ファイバーケーブル５とメカニカルクロージャ４とのそれぞれに情報媒体であるＩＣタグ６Ｃ、６Ｍを添付しているのに対し、図１３の（Ａ）に示すように、両側に光ファイバーケーブル５５の端部がそれぞれ臨むメカニカルクロージャ（配線設備）５４にのみＩＣタグ５０を添付するとともに、このメカニカルクロージャ５４には、回線の方向のうち所定の方向（例えば、ある基準局を設定し、その基準局に近づくか遠ざかるかする回線の２方向に対し、その基準局に向かう方向であって、本実施例の場合、図１３の（Ａ）に示すメカニカルクロージャ５４を開く作業者Ｗ２からみて右方向）を示す方向表示部５１を設けるようにしている。データベースには、予め各メカニカルクロージャ（配線設備）とそのメカニカルクロージャ毎に左右両側に端部が臨む光ファイバーケーブルの本数と位置と左右のどちら側に端部が臨んでいるかの各設備情報が上記所定の方向（作業者Ｗ２からみて右方向）と関連づけされて格納されている（図１３の（Ｂ）参照）。そして、センターサーバ２は、入力されたメカニカルクロージャ５４の識別情報に基づいて、データベースからメカニカルクロージャ５４を特定するとともに、このメカニカルクロージャ５４の両側に収容されたケーブル５５を上記所定の方向と関連づけて特定し、その特定情報を主携帯端末１０（副携帯端末２０）に送信する機能（ケーブル特定情報送信手段）を有している。
【００８０】
この第６の実施例に係るケーブルネットワークの管理システムでは、副携帯端末２０にＩＣタグ５０を読み取らせ、読み取ったメカニカルクロージャ５４の識別情報を、主携帯端末１０を経由してセンターサーバ２に送信し、センターサーバ２により特定されたメカニカルクロージャ５４の設備情報と、このメカニカルクロージャ５４に収容され所定の方向と関連づけられた光ケーブルの設備情報を主携帯端末１０に送信して表示させるとともに、副携帯端末２０にも転送して表示させるようになっている。
【００８１】
携帯端末４０の場合は、携帯端末４０によりＩＣタグ５０の識別情報を読み取らせ、読み取ったこの識別情報を、センターサーバ２に送信し、センターサーバ２により特定されたメカニカルクロージャ５４の設備情報と、このメカニカルクロージャ５４に収容され所定の方向と関連づけられた光ケーブルの設備情報を携帯端末４０に送信して表示させるようになっている。このため、ＩＣタグはメカニカルクロージャ（配線設備）５４にのみ添付するだけで、光ファイバーケーブル５５には添付する必要がなくなる。従って、ＩＣタグ５０の数を減らしてコストダウンを図ることができる。また、データベースのデータ負荷を減少させ、システムの高速化を図ることができる。
【実施例７】
【００８２】
次に、上記第６の実施例に係るケーブルネットワークの管理システムを用いた管理方法について、主携帯端末１０と副携帯端末２０とを用いた場合について説明する。このケーブルネットワークの管理方法は、図１２に示すように、作業班が、現場に到着すると、作業員Ｗ２は、高所または地下にある作業場所Ｂに副携帯端末２０を携帯して持ち込み作業準備にかかり、作業監理者Ｗ１は、作業場所Ｂ近くの監理者用現場Ａで、主携帯端末１０を設置する（第１のステップＳ４０１）。次に、作業員Ｗ２が、副携帯端末２０により作業対象設備であるメカニカルクロージャ５４に添付されているＩＣタグ５０を読み取ると、そのメカニカルクロージャ５４に関する設備の識別情報が副携帯端末２０の画面に表示されるとともに主携帯端末１０に送信される。主携帯端末１０は、副携帯端末２０から送られてきた識別情報をノート型パソコン１１の画面に表示してセンターサーバ２に送信する（第２のステップＳ４０２）。センターサーバ２は、副携帯端末２０から主携帯端末１０を経由して送信されてきた識別情報に基づいて、メカニカルクロージャ５４を特定し、そのメカニカルクロージャ５４の設備情報と、このメカニカルクロージャ５４に収容され所定の方向と関連づけられた光ケーブルの設備情報を主携帯端末１０に送信する。主携帯端末１０は受け取った光ファイバーケーブル５５の設備情報を表示して記録するとともに、副携帯端末２０に転送する。副携帯端末２０は送られてきた光ファイバーケーブル５５の設備情報（特定情報）を表示する（第３のステップＳ４０３）。このため、作業者Ｗ２は、副携帯端末２０に表示された所定の方向と関連づけられた光ケーブルの設備情報（ケーブル情報）と、現場のメカニカルクロージャ５４（配線設備）の方向表示部５１に表示された方向（右方向）とを見比べるだけで、ケーブルを特定することができる。
【実施例８】
【００８３】
次に、上記第６の実施例に係るケーブルネットワークの管理システムを用いた管理方法について、携帯端末４０を用いた場合について説明する。このケーブルネットワークの管理方法は、図１３に示すように、作業対象設備に対して作業を行う際、まず、作業者Ｗ２が携帯端末４０を携帯して作業対象設備の作業場所Ｂに持ち込む（第１のステップＳ５０１）。次に、作業員Ｗ２が、携帯端末４０により作業対象設備であるメカニカルクロージャ５４に添付されているＩＣタグ５０を読み取ると、そのメカニカルクロージャ５４に関する設備の識別情報が携帯端末４０の画面に表示されるとともにセンターサーバ２２に送信される（第２のステップＳ５０２）。センターサーバ２は、送信されてきた識別情報に基づいて、メカニカルクロージャ５４を特定し、そのメカニカルクロージャ５４の設備情報と、このメカニカルクロージャ５４に収容され所定の方向と関連づけられた光ケーブルの設備情報とを携帯端末４０に送信する。携帯端末４０は送られてきたメカニカルクロージャ５４の設備情報と、このメカニカルクロージャ５４に収容され所定の方向と関連づけられた光ケーブルの設備情報を表示する（第３のステップＳ５０３）。このため、作業者Ｗ２は、携帯端末４０に表示された所定の方向と関連づけられた光ケーブルの設備情報（ケーブル情報）と、現場のメカニカルクロージャ５４（配線設備）の方向表示部５１に表示された方向（右方向）とを見比べるだけで、ケーブルを特定することができる。このように、ケーブルに情報媒体を添付する必要がなく配線設備にのみ情報媒体を添付するだけでケーブルが特定されるので、ケーブル毎に情報媒体を添付する必要がなくなり、添付する情報媒体の数が少なくてすむ。さらに、多数の情報媒体を読み取る必要がないので、作業が迅速化される。なお、上記第６の実施例に係るケーブルネットワークの管理システムについて、主携帯端末１０、携帯端末４０、センターサーバ２のうちいずれか１が、上記第１の判定手段と第２の判定手段とのうち少なくともいずれか１を備えるようにしてもよいことはいうまでもない。
【００８４】
なお、上記実施例では、主携帯端末１０のパソコン１１と副携帯端末２０、または携帯端末４０はそれぞれ、電源がオフされると、オン時に記憶された作業情報をメモリから消失させるようにしているがこれに限られるものではなく、電源がオフされると、その後電源がオンされてもパスワードが入力されない限り、オン時にメモリに記憶された作業情報を表示させない機能を持たせるようにしてもよい。オフする前にメモリから消去させる機能を備えるようにしてもよい。さらに、上記実施例では、配線設備の一例としてメカニカルクロージャを挙げているがこれに限られるものではなく、配線箱、中間配線箱、配線盤（ＯＤＦ）等、光ファイバーケーブルの回線を構成しケーブルを除くすべての配線に関する設備が含まれるのはいうまでもない。また、上記実施例では、主携帯端末としてノート型パソコン１１を用いているがこれに限られるものではなく、個人用携帯情報端末（ＰＤＡ）であってもよい。さらに、上記実施例では、情報媒体にＩＣタグ６Ｍ、６Ｃ、５０を用いているがこれに限られるものではなく、情報媒体としてバーコード、スタックド方式バーコード、マトリックス方式などの２次元コードを用いるようにしてもよい。また、上記実施例のＩＣタグ６Ｍ、６Ｃは、５cm程度離れた位置から情報を検出するタイプを用いているがこれに限られるものではなく、５m程度の遠隔地から検出できる遠隔型ＩＣタグ６０を用いるようにしてもよい。この場合、地上から検出できるので、バケット車や電柱に上ることなく、作業対象のメカニカルクロージャを特定することができ、作業の安全性、作業効率が向上する。さらに、上記実施例では、ＩＣタグ６Ｍ、６Ｃを読取専用としているがこれに限られるものではなく、書き込み自在なＩＣタグを用いてもよく、その場合、リーダ部に代えてリーダ・ライター部を用いるようにすればよい。また、上記実施例では、ケーブルネットワークを構成するケーブルを、光ファイバーケーブルとして述べているがこれに限られるものではなく、メタルケーブルであってもよいことはいうまでもない。さらに、ネットワークは屋外に限られるものではなく、屋内も含まれることはいうまでもない。また、上記各実施例においては作業時に他の心線に影響を与える場合がある。このため、アラームが発生した場合、センターサーバ２がアラームの発生を検知すると、データベースからアラームの情報（どこの設備でアラームが発生しているかの情報）を取り出し、このアラーム情報を含むアラーム通報を、携帯端末（主携帯端末、副携帯端末）に送信するようにしてもよい。そのようにすることにより、作業者Ｗ２は、アラーム通報により自らの作業が他の心線に影響を与えないように作業することができるし、また、アラーム通報を受けると、事務所などを介在させることなく、早期に復旧を図ることができる。
【図面の簡単な説明】
【００８５】
【図１】本発明の第１の実施例に係るケーブルネットワークの管理システムの構成を示す説明図である。（実施例１）（実施例２）（実施例３）
【図２】（Ａ）ないし（Ｃ）はそれぞれ、図１のケーブルネットワークの管理システムにおける作業の一例を順を追って示す説明図である。
【図３】メカニカルクロージャとその内部に収納される光ファイバーケーブルとを示す説明図である。
【図４】図１のケーブルネットワークの管理システムにおいて作業現場に到着するまでの工程を示す説明図である。
【図５】図１のケーブルネットワークの管理システムにおける作業の工程を順を追って示すフローチャートである。
【図６】図５のフローチャートにおける第２のステップ、第５のステップおよび第６のステップをより詳細に説明したフローチャートである。
【図７】図１のケーブルネットワークの管理システムにおいて光ファイバー系統図におけるある区間の回路構成を行う一例を示す表示画面の説明図である。
【図８】作業開始時のメニュー画面を示す説明図である。
【図９】実施する作業件名を選択する際の画面を示す説明図である。
【図１０】作業件名について作業場所を選択する際の画面を示す説明図である。
【図１１】選択された作業名称の作業場所における回線構成の画面を示す説明図である。
【図１２】本発明の第４の実施例に係るケーブルネットワークの管理システムの構成を示す説明図である。（実施例４）
【図１３】本発明の第５の実施例に係るケーブルネットワークの管理システムの構成を示す説明図である。（実施例５）
【図１４】図１３のケーブルネットワークの管理システムにおける作業の工程を順を追って示すフローチャートである。
【図１５】（Ａ）、（Ｂ）はそれぞれ、本発明の第６の実施例に係るケーブルネットワークの管理システムの一部を構成するメカニカルクロージャと光ファイバーケーブルとを示す説明図およびセンターサーバから送られてきた光ファイバーケーブルを特定する情報が携帯端末（主携帯端末、副携帯端末）に表示された状態を示す説明図である。（実施例６）（実施例８）
【図１６】本発明の第７の実施例に係るケーブルネットワークの管理システムにおける作業の工程を順を追って示すフローチャートである。（実施例７）
【図１７】本発明の第８の実施例に係るケーブルネットワークの管理システムにおける作業の工程を順を追って示すフローチャートである。（実施例８）
【符号の説明】
【００８６】
２  サーバ（センターサーバ）
４  メカニカルクロージャ（配線設備）
５  光ファイバーケーブル（回線）
６Ｃ、６Ｍ  ＩＣタグ（情報媒体）
１０  主携帯端末（携帯端末）
２０  副携帯端末（携帯端末）
４０  携帯端末
【図１】
2008158648.tif 000003
【図２】
2008158648.tif 000004
【図３】
2008158648.tif 000005
【図４】
2008158648.tif 000006
【図５】
2008158648.tif 000007
【図６】
2008158648.tif 000008
【図１２】
2008158648.tif 000009
【図１３】
2008158648.tif 000010
【図１４】
2008158648.tif 000011
【図１５】
2008158648.tif 000012
【図１６】
2008158648.tif 000013
【図１７】
2008158648.tif 000014
【図７】
2008158648.tif 000015
【図８】
2008158648.tif 000016
【図９】
2008158648.tif 000017
【図１０】
2008158648.tif 000018
【図１１】
2008158648.tif 000019